(57)【要約】      （修正有）【課題】機器ユーザが関心を持つコンテンツを効率的に配信する。【解決手段】装置および方法は複数のコンテンツを配信する。その少なくとも１つは記述的メタデータでタグ付けされる。さらに、機器に格納された個人化されたコンテンツ嗜好記述子とタグ付けされたコンテンツとの間の整合に基づいて複数のコンテンツからコンテンツを選択する。したがって、選択されたコンテンツは、個人化されたコンテンツ嗜好記述子に関連しているユーザにとっておそらく適切または関連する、および／または、関心のあるコンテンツに該当する。【選択図】図９
2014212522.tif 000002
【特許請求の範囲】
【請求項１】
無線機器上のユーザ特性情報に基づく個人化されたコンテンツ嗜好記述子を無線機器上で得ることと、
複数のコンテンツの１つに対応する予め定められたコンテンツ記述子を無線機器上で得ることと、
コンテンツ供給者に関連する複数のコンテンツのマルチキャスト送信を無線機器上で得ることと、
複数のコンテンツから１つを、それぞれの予め定められたコンテンツ記述子の少なくとも一部分と個人化されたコンテンツ嗜好記述子との間の整合に基づいて、無線機器において、選択することと、
選択されたコンテンツを無線機器上で処理することとを含むコンテンツを受信する方法。
【請求項２】
個人化されたコンテンツ嗜好記述子を得ることが、コンテンツ供給者によって定義された複数の予め定められたコンテンツ記述子から個人化されたコンテンツ嗜好記述子を選択することをさらに含む、請求項１に記載の方法。
【請求項３】
個人化されたコンテンツ嗜好記述子を得ることが、コンテンツ供給者に関連する複数のサービスのそれぞれの１つに対応する複数の予め定められたコンテンツ記述子から個人化されたコンテンツ嗜好記述子を選択することをさらに含み、複数のサービスの少なくとも２つは異なる複数の予め定められたコンテンツ記述子に関連している、請求項１に記載の方法。
【請求項４】
個人化されたコンテンツ嗜好記述子を得ることが、個人化されたコンテンツ嗜好記述子を、サイコグラフィック情報、ユーザの予め定められた社会的ネットワークに関連する情報、および予め定められた地理的領域内の予め定められたユーザに関連する情報の少なくとも１つに基づいて生成することをさらに含む、請求項１に記載の方法。
【請求項５】
個人化されたコンテンツ嗜好記述子を生成することが、アルゴリズム、意志決定ルーチン、ファジィ論理、発見的方法、およびニューラルネットワークの少なくとも予め定められた１つを実行することをさらに含む、請求項４に記載の方法。
【請求項６】
個人化されたコンテンツ嗜好記述子を得ることが、個人化されたコンテンツ嗜好記述子を、現地時間、それぞれの無線機器に関連する無線ネットワーク事業者および機器の特性の少なくとも１つに基づいて生成することをさらに含む、請求項１に記載の方法。
【請求項７】
個人化されたコンテンツ嗜好記述子を生成することが、予め定められたアルゴリズム、予め定められた意志決定ルーチン、予め定められたファジィ論理、予め定められた発見的方法、および予め定められたニューラルネットワークの少なくとも１つを実行することをさらに含む、請求項６に記載の方法。
【請求項８】
個人化されたコンテンツ嗜好記述子を得ることが、サービス固有の個人化されたコンテンツ嗜好記述子を得ることをさらに含み、かつ選択することが、前記サービス固有の個人化されたコンテンツ嗜好記述子に基づく、および得られたマルチキャスト送信に関連するそれぞれのサービスにさらに基づく選択をさらに含む、請求項１に記載の方法。
【請求項９】
マルチキャスト送信を得ることが、複数のフローの予め定められた１つの内の複数のコンテンツを受信することをさらに含み、かつ選択されたコンテンツを処理することが、選択されたコンテンツを保存することをさらに含む、請求項１に記載の方法。
【請求項１０】
選択することが、それぞれの予め定められたコンテンツ記述子の少なくとも部分が予め定められた整合しきい値に達したかどうかを決定することをさらに含む、請求項１の方法。
【請求項１１】
選択されたコンテンツを処理することが、選択されたコンテンツを提示することをさらに含む請求項１に記載の方法。
【請求項１２】
無線機器上のユーザ特性情報に基づく個人化されたコンテンツ嗜好記述子を無線機器上で得るためのコードの第１のセットと、
複数のコンテンツの１つに対応する予め定められたコンテンツ記述子を無線機器上で得るためのコードの第２のセットと、
コンテンツ供給者に関連する複数のコンテンツのマルチキャスト送信を無線機器上で得るための第３のセットと、
複数のコンテンツから１つを、それぞれの予め定められたコンテンツ記述子の少なくとも一部分と個人化されたコンテンツ嗜好記述子との間の整合に基づいて、無線機器において、選択するためのコードの第４のセットと、
選択されたコンテンツを無線機器上で処理するためのコードの第５のセットとを含むコンピュータ可読媒体を含むコンピュータソフトウェア製品。
【請求項１３】
無線機器上のユーザ特性情報に基づく個人化されたコンテンツ嗜好記述子を無線機器上で得ることと、
複数のコンテンツの１つに対応する予め定められたコンテンツ記述子を無線機器上で得ることと、
コンテンツ供給者に関連する複数のコンテンツのマルチキャスト送信を無線機器上で得ることと、
複数のコンテンツから１つを、それぞれの予め定められたコンテンツ記述子の少なくとも一部分と個人化されたコンテンツ嗜好記述子との間の整合に基づいて、無線機器において、選択することと、
選択されたコンテンツを無線機器上で処理することとの動作を実行するように構成された少なくとも１つのプロセッサ。
【請求項１４】
無線機器上のユーザ特性情報に基づく個人化されたコンテンツ嗜好記述子を得るための手段と、
複数のコンテンツの１つに対応する予め定められたコンテンツ記述子を得るための手段と、
コンテンツ供給者に関連する複数のコンテンツのマルチキャスト送信を得るための手段と、
複数のコンテンツから１つを、それぞれの予め定められたコンテンツ記述子の少なくとも一部分と個人化されたコンテンツ嗜好記述子との間の整合に基づいて、選択するための手段と、
選択されたコンテンツを処理するための手段とを含む無線機器。
【請求項１５】
個人化されたコンテンツ嗜好記述子、予め定められたコンテンツ記述子およびコンテンツ選択エンジンを含むメモリーであって、個人化されたコンテンツ嗜好記述子が、無線機器上のユーザ特性情報に基づいており、予め定められたコンテンツ記述子が、複数のコンテンツの１つに対応しており、コンテンツ選択エンジンが、複数のコンテンツから少なくとも１つを、それぞれの予め定められたコンテンツ記述子の少なくとも一部分と個人化されたコンテンツ嗜好記述子との間の整合に基づいて選択するように動作可能であるメモリーと、
コンテンツ供給者に関連する複数のコンテンツのマルチキャスト送信を得るように動作可能な通信モジュールと、
メモリーおよび通信モジュールと交信しているプロセッサとを含み、プロセッサが、複数のコンテンツから１つを選択するためにコンテンツ選択エンジンを実行するように動作可能であり、プロセッサが、選択されたコンテンツをさらに処理するように動作可能である、無線機器。
【請求項１６】
個人化されたコンテンツ嗜好記述子が、コンテンツ供給者によって定義された複数の予め定められたコンテンツ記述子から選択される、請求項１５に記載の無線機器。
【請求項１７】
個人化されたコンテンツ嗜好記述子が、コンテンツ供給者に関連する複数のサービスの１つがそれぞれに対応する複数の予め定められたコンテンツ記述子から選択され、複数のサービスの少なくとも２つが、異なる複数の予め定められたコンテンツ記述子に関連している、請求項１５に記載の無線機器。
【請求項１８】
メモリーが、個人化されたコンテンツ嗜好記述子を、サイコグラフィック情報、ユーザの予め定められた社会的ネットワークに関連する情報、および予め定められた地理的領域内の予め定められたユーザに関連する情報の少なくとも１つに基づいて生成するように動作可能な嗜好記述子生成器をさらに含む、請求項１５に記載の方法。
【請求項１９】
嗜好記述子生成器が、個人化されたコンテンツ嗜好記述子を決定するためにプロセッサによって実行可能なアルゴリズム、意志決定ルーチン、ファジィ論理、発見的方法、およびニューラルネットワークの少なくとも予め定められた１つをさらに含む、請求項１８に記載の無線機器。
【請求項２０】
メモリーが、個人化されたコンテンツ嗜好記述子を現地時間、それぞれの無線機器に関連する無線ネットワーク事業者および機器の特性の少なくとも１つに基づいて生成するように動作可能な嗜好記述子生成器をさらに含む、請求項１５に記載の方法。
【請求項２１】
嗜好記述子生成器が、個人化されたコンテンツ嗜好記述子を決定するためにプロセッサによって実行可能なアルゴリズム、意志決定ルーチン、ファジィ論理、発見的方法、およびニューラルネットワークの少なくとも予め定められた１つをさらに含む、請求項２０に記載の無線機器。
【請求項２２】
個人化されたコンテンツ嗜好記述子が、マルチキャスト送信に関連するそれぞれのサービスに基づいて異なる、請求項１５に記載の無線機器。
【請求項２３】
コンテンツ選択エンジンが、それぞれの予め定められたコンテンツ記述子の少なくとも前記部分が予め定められた整合しきい値に達したかどうかを決定するようにさらに動作可能な、請求項１５に記載の無線機器。
【請求項２４】
通信モジュールが、複数のフローの予め定められた１つ内の複数のコンテンツを受信するようにさらに動作可能であり、プロセッサが、選択されたコンテンツをメモリーに保存するようにさらに動作可能である請求項１５に記載の無線機器。
【請求項２５】
出力手段をさらに含み、プロセッサが前記出力手段を介して選択されたコンテンツを提示するようにさらに動作可能である、請求項１５に記載の無線機器。
【請求項２６】
配信システム上で、コンテンツ供給者によって定義された複数の予め定められたコンテンツ記述子を得ることと、
配信システムにおいて、複数のコンテンツを得ることと、
配信システムにおいて、複数の予め定められたコンテンツ記述子の少なくとも１つと複数のコンテンツの１つとの間の関連を得ることと、
配信システムから、複数のコンテンツおよび前記関連を複数の機器へマルチキャストすることとを含み、前記関連が、機器の１つで、関連する予め定められたコンテンツ記述子とそれぞれの機器に格納された個人化されたコンテンツ嗜好記述子との間の整合に基づいて、複数のコンテンツの１つの選択的処理を引き起こすように動作する、コンテンツ配信方法。
【請求項２７】
配信システム上で、コンテンツ供給者によって定義された複数の予め定められたコンテンツ記述子を得るためのコードの第１のセットと、
配信システムにおいて、複数のコンテンツを得るためのコードの第２のセットと、
配信システムにおいて、複数の予め定められたコンテンツ記述子の少なくとも１つと複数のコンテンツの１つとの間の関連を得るためのコードの第３のセットと、
配信システムから、複数のコンテンツおよび前記関連を複数の機器へマルチキャストするためのコードの第４のセットとを含み、前記関連は、機器の１つで、関連する予め定められたコンテンツ記述子とそれぞれの機器に格納された個人化されたコンテンツ嗜好記述子との間の整合に基づいて、複数のコンテンツの１つの選択的処理を引き起こすように動作する、コンピュータ可読媒体を含む、コンピュータソフトウェア製品。
【請求項２８】
配信システム上で、コンテンツ供給者によって定義された複数の予め定められたコンテンツ記述子を得ることと、
配信システムにおいて、複数のコンテンツを得ることと、
配信システムにおいて、複数の予め定められたコンテンツ記述子の少なくとも１つと複数のコンテンツの１つとの間の関連を得ることと、
配信システムから、複数のコンテンツおよび前記関連を複数の機器へマルチキャストすることであって、前記関連が、機器の１つで、関連する予め定められたコンテンツ記述子とそれぞれの機器に格納された個人化されたコンテンツ嗜好記述子との間の整合に基づいて、複数のコンテンツの１つの選択的処理を引き起こすように動作するマルチキャストすること、との行動を実行するように構成された少なくとも１つのプロセッサ。
【請求項２９】
複数のコンテンツ、複数の予め定められたコンテンツ記述子、および複数のコンテンツの少なくとも１つと複数の予め定められたコンテンツ記述子の少なくとも１つとの間の関連を含むメモリーであって、複数の予め定められたコンテンツ記述子がコンテンツ供給者によって定義されるメモリーと、
複数のコンテンツおよび前記関連を複数の機器に送信するように動作可能なマルチキャスト手段と、
複数のコンテンツおよび前記関連の送信を開始するために前記マルチキャスト手段を実行するように動作可能なプロセッサとを含み、前記関連は、機器の１つで、関連する予め定められたコンテンツ記述子とそれぞれの機器に格納された個人化されたコンテンツ嗜好記述子との間の整合に基づいて、複数のコンテンツの少なくとも１つの選択的処理を引き起こすように動作する、コンテンツを配信するための装置。
【発明の詳細な説明】
【技術分野】
【０００１】
米国特許法１１９条の下での優先権主張
本特許出願は、２００５年１１月２３日に出願された仮出願番号60/739,471、名称”Catchcasting For Multicast Networks”（マルチキャストネットワークのためのキャッチキャスティング）、および２００６年４月４日に出願された仮出願番号60/789,444、名称”Apparatus And Methods Of Distributing Content And Receiving Selected Content Based On User Personalization Information”（ユーザの個人化情報に基づくコンテンツ配信および選択されたコンテンツ受信の装置および方法）、に対する優先権を主張する。
【０００２】
両仮出願は、本譲受人に譲渡され、参照によってここに明白に組み込まれる。
【０００３】
説明した態様はメディア配信システムに関する。より詳細には１つ以上のカテゴリー化されたコンテンツの送付およびユーザの嗜好に基づいて選択されたカテゴリー化されたコンテンツの受信に関連する。
【背景技術】
【０００４】
通信ネットワークは、コンテンツを受信者に送付するように設計されている。例えば、ある形式の通信ネットワークは一度に１つの受信者へ、すなわち一対一ベースで、コンテンツを送付するユニキャストシステムを含む。この一対一の性質のため、ユニキャストシステムのユーザはそのユーザだけに関心のあるコンテンツを受信するように要求するかもしれない。しかし、１つのコンテンツを多くの受信者に伝達することを要望する場合、ユニキャストシステムは比較的効率が悪い。例えば、ユニキャストシステムにおいて、多くのエンドポイントへ同じコンテンツを送付することは資源集約的である。各エンドポイントが冗長に同じコンテンツを要求し、予め定められた大きさの帯域幅を予約しなければならず、その結果、貴重なネットワーク資源を消費し拡張性を制限するからである。対照的に、マルチキャストシステムは情報を同時に複数の受信者に送信する通信ネットワークである。マルチキャスト送付技術は多くのネットワークエンドポイントで使用可能なコンテンツの費用対効果の良い送付に関する問題を解決する。しかし、そのネットワーク利用率の利点にもかかわらず、マルチキャスト技術は個人化されかつ限られた範囲で関心があるコンテンツの送付を考えると難しい問題を生じさせる。
【０００５】
さらに、移動体のコンテンツ消費に関する要求は移動通信機器の流行および機能の増加と共に増大している。
【０００６】
付加的に、ユーザの注意を引きつけ、ユーザの時間のより効率的な使用をもたらすために、コンテンツを機器ユーザの特定の関心または嗜好に向けることが望ましい。コンテンツをユーザ宛てに送る現行の方法は、これらの方法が通常マルチキャスト送信を受信するユーザーグループ全体の特徴付けに基づいてコンテンツを選択するため、効率が悪い。
【０００７】
したがって、機器ユーザが関心を持つコンテンツを配信し、受信する改良されたシステムと方法が要望されている。
【発明の概要】
【０００８】
説明する態様は複数のコンテンツを配信するための装置および方法を含む。コンテンツの少なくとも１つはカテゴリー化され、定義されおよび／またはメタデータで記述される。さらに、本装置および方法は個人化されたコンテンツ嗜好記述子のようなユーザ特性とカテゴリー化されたコンテンツとの間の対応に基づいて複数のコンテンツからコンテンツを選択することを含む。例えば、ユーザ特性は機器の位置、時間、ユーザのデモグラフィックス、ユーザのサイコグラフィックス、好み、ユーザが好んで選択するコンテンツカテゴリー、ならびに機器ユーザと、機器に適切であり、関係がありおよび／または重要であると思われるコンテンツとの間の関係を規定するかもしれない任意の他のデータのような特徴を含むかもしれない。したがって、選択されたコンテンツは、１つ以上の個人化されたコンテンツ嗜好記述子で定義されるかもしれない１つ以上のユーザ特性を有するユーザに対して適切であり、関係がありおよび／または重要であると思われるコンテンツに該当する。
【０００９】
無線機器上のユーザ特性情報に基づく個人化されたコンテンツ嗜好記述子を無線機器上で得ることを含むコンテンツ受信方法。複数のコンテンツの１つに対応する予め定められたコンテンツ記述子を無線機器上で得ることをさらに含む前記方法。また、コンテンツ供給者に関連する複数のコンテンツのマルチキャスト送信を無線機器上で得ることを含む方法。さらに、複数のコンテンツから１つを、それぞれの予め定められたコンテンツ記述子の少なくとも一部分と個人化されたコンテンツ嗜好記述子との間の整合に基づいて、無線機器において選択することを含む方法。付加的に、本方法は選択されたコンテンツを無線機器上で処理することをさらに含む。
【００１０】
関連する態様において、機械可読媒体は上述した方法の動作に対応する命令セットを含むそこに格納された命令を含む。更に関連する態様において、少なくとも１つのプロセッサが上述した方法の動作を実行するように構成される。
【００１１】
別の態様において、無線機器は無線機器上のユーザ特性情報に基づく個人化されたコンテンツ嗜好記述子を得るための手段を含む。さらに、無線機器は複数のコンテンツの１つに対応する予め定められたコンテンツ記述子を得るための手段を含む。また、無線機器はコンテンツ供給者に関連する複数のコンテンツのマルチキャスト送信を得るための手段を含む。さらに、無線機器は複数のコンテンツから１つをそれぞれの予め定められたコンテンツ記述子の少なくとも一部と個人化されたコンテンツ嗜好記述子との間の整合に基づいて選択するための手段を含む。付加的に、無線機器は選択されたコンテンツ処理するための手段を含む。
【００１２】
さらに別の態様において、無線機器はメモリー、通信モジュール、およびプロセッサを含む。さらに、メモリーは個人化されたコンテンツ嗜好記述子、予め定められたコンテンツ記述子、およびコンテンツ選択エンジンを含む。個人化されたコンテンツ嗜好記述子は無線機器上のユーザ特性情報に基づく。予め定められたコンテンツ記述子は複数のコンテンツの１つに対応する。コンテンツ選択エンジンは複数のコンテンツから少なくとも１つを、それぞれの予め定められたコンテンツ記述子の少なくとも一部と個人化されたコンテンツ嗜好記述子との間の整合に基づいて選択するように動作可能である。付加的に、通信モジュールはコンテンツ供給者に関連する複数のコンテンツのマルチキャスト送信を得るように動作可能である。さらに、プロセッサはメモリーおよび通信モジュールと交信し、またプロセッサは複数のコンテンツから１つを選択するためのコンテンツ選択エンジンを実行するように動作可能である。付加的に、プロセッサは選択されたコンテンツをさらに処理するように動作可能である。
【００１３】
さらに別の態様において、コンテンツを配信する方法は配信システム上で、コンテンツ供給者によって定義された複数の予め定められたコンテンツ記述子を得ることを含む。本方法は配信システムにおいて複数のコンテンツを得ることをさらに含む。また、本方法は、配信システムにおいて、複数の予め定められたコンテンツ記述子の少なくとも１つと複数のコンテンツの１つとの間の関連を得ることを含む。付加的に、本方法は配信システムから、複数のコンテンツおよび前記関連を複数の機器へマルチキャストすることを含む。
【００１４】
この態様において、前記関連は、関連する予め定められたコンテンツ記述子とそれぞれの機器に格納された個人化されたコンテンツ嗜好記述子との間の整合に基づいて、機器の１つで、複数のコンテンツの１つの選択的処理を引き起こすように動作する。
【００１５】
関連する態様において、機械可読媒体は上述した方法の動作に対応する命令セットを含むそこに格納された命令を含む。別の関連する態様において、少なくとも１つのプロセッサが上述の方法の動作を実行するように構成される。
【００１６】
追加的な態様において、コンテンツを配信するための装置はメモリー、マルチキャスト手段、およびプロセッサを含む。メモリーは複数のコンテンツ、複数の予め定められたコンテンツ記述子、および複数のコンテンツの少なくとも１つと複数の予め定められたコンテンツ記述子の少なくとも１つとの間の関係を含む。この態様において、複数の予め定められたコンテンツ記述子はコンテンツ供給者によって定義される。マルチキャスト手段は、複数のコンテンツおよび前記関連を複数の機器に送信するように動作可能である。プロセッサは、複数のコンテンツと前記関連の送信を開始するためにマルチキャスト手段を実行するように動作可能である。この態様において、前記関連は、関連する予め定められたコンテンツ記述子とそれぞれの機器に格納された個人化されたコンテンツ嗜好記述子との間の整合に基づいて、機器の１つで、複数のコンテンツの少なくとも１つの選択的処理を引き起こすように動作する。
【図面の簡単な説明】
【００１７】
【図１】本発明における、１つ以上のユーザ特性に基づく配信およびメディアコンテンツを選択的に受信するように動作可能な通信ネットワークの１態様の構成図。
【図２】本発明における、図１の無線機器のアーキテクチャの１態様の構成図。
【図３】本発明における、図１の無線機器で表示可能なユーザ嗜好選択メニューの１態様の表示。
【図４】本発明における、図１の装置および方法に関連するユーザ特性ベースの情報および／またはコンテンツ記述子のリストの表示。
【図５】本発明における、図１の無線機器で表示可能な個人化されたコンテンツリストメニューの１態様の表示。
【図６】本発明における、図１のメディア配信システムのアーキテクチャの１態様の構成図。
【図７】本発明におけるいくつかの態様において図１のメディア配信システムとの対話を通じて利用可能なチャンネル／サービスカテゴリー化メニューの１態様の表示。
【図８】本発明におけるいくつかの態様において図１のメディア配信システムとの対話を通じて利用可能なコンテンツカテゴリー化メニューの１態様の表示。
【図９】本発明における、無線機器で選択されたコンテンツを受信する方法の１態様のフローチャート。
【図１０】本発明における、無線機器にコンテンツを配信する方法の１態様のフローチャート。
【発明を実施するための形態】
【００１８】
本装置および方法は添付図面を参照してより完全に説明されるだろう。本装置および方法は多くの異なる形で具体的に例示されるかもしれないが、ここに記載された態様に限定されると解釈されるべきではない。付加的に、この説明全体にわたり、同一番号は、同一要素を参照する。
【００１９】
図１を参照して、いくつかの態様において、通信ネットワーク２０は複数のコンテンツ２４を複数の無線機器２５−２７へ配信するように動作可能なメディア配信システム２２を含み、前記機器の少なくともいくつかは機器のユーザ固有の個人化情報に基づいて選択されたコンテンツを選択的に実行および／または格納するように動作可能である。特に、ユーザ固有の個人化情報は個人化されたコンテンツ嗜好情報を含む。このように、本装置および方法は、機器が広告を含むマルチキャストコンテンツをダウンロードすることを可能にする。このコンテンツは他の宛先設定方法に従って供給されるコンテンツと比べると機器のユーザがより関心を持つと思われる。
【００２０】
図１に３つ機器２５−２７を示すが、実際には任意の数、および／または、任意の形式の機器がここに説明した態様における使用に適していることに注意するべきである。
【００２１】
さらに、ネットワーク２０はネットワーク２０内のユーザに配信するために複数のコンテンツ２４のすべてまたは何らかの部分を提供するように動作可能な１つ以上のコンテンツプロバイダ２８、３０を含む。例えば、コンテンツプロバイダ２８、３０から供給される複数のコンテンツ２４は少なくとも１つのビデオ、オーディオ、マルチメディアコンテンツ、リアルタイムコンテンツ、また、「クリップ」と呼ばれる非リアルタイムコンテンツ、スクリプト、プログラム、データまたは任意の形式の適切なコンテンツを含むかもしれない。複数のコンテンツ２４は予約したプログラム、臨時および／もしくはオンデマンドプログラム、広告、または他のコンテンツ内の中断中におよび／もしくは他のコンテンツと同時に提供される任意の他の形式のコンテンツの１つまたは任意の組合せを含むかもしれない。いくつかの態様において、コンテンツプロバイダ２８、３０は任意の適切な形式の有線および／または無線通信インタフェースを含むかもしれないメディア配信システム２２と通信リンク３２を介して交信する。
【００２２】
いくつかの態様において、メディア配信システム２２は１つ以上のメディアサービス３６を含むマルチメディアコンテンツフロー３４を生成し、１つ以上のデータネットワーク３８を通して伝達するように動作する伝達システムを含むかもしれない。例えば、そのような伝達システムはマルチキャスト手段３３を含むかもしれない。マルチキャストのいくつかの態様において、各フロー３４は与えられた地理的領域内で利用可能な一組のフローである「多重通信」内の論理ストリームである。メディアサービス３６は複数のコンテンツ２４の１つまたはいくつかの組合せを含む。ここで、特定の小売業者用にカスタマイズされたメディアサービスは「チャンネル」と呼ばれるかもしれない。このように、各フロー３４は、そのフローが適切な周波数に同調したいずれの機器にも受信可能であるため、同じサービス３６を同時に複数のエンドポイントに送付でき、その結果、拡張性の問題を回避する。したがって、メディア配信システム２２は１対多の形式でメディアコンテンツを伝達するように動作可能であるかもしれない。
【００２３】
付加的に、説明した態様において、メディア配信システム２２は１つ以上の予め定められたコンテンツ記述子４０、４２を複数の無線機器２５−２７へ配信するかもしれない。
【００２４】
１つ以上の予め定められたコンテンツ記述子４０、４２は、それぞれのコンテンツとは別々に格納されるかもしれない、またはそれぞれのコンテンツの中に埋め込まれるかもしれない。さらに、１つ以上の予め定められたコンテンツ記述子４０、４２は、カテゴリー、名前、コード、識別子並びに／または複数のコンテンツ２４のそれぞれの１つに関連するおよび／もしくは記述するために用いることができる任意のメタデータの１つまたはいくつかの組合せ、を非限定的に含む。いくつかの態様において、例えば１つ以上の予め定められたコンテンツ記述子４０、４２はカスタマイズされ、各サービス３６に対して１つのセットにグループ分けされ、従って、それぞれの一意的なサービス識別（ＩＤ）４４、４６に関係づけられる。例えば、いくつかの態様において、各サービス３６に関連する１つ以上の「コンテンツ供給者」は予め定められたコンテンツ記述子４０、４２の各セットをそれぞれに定義するかもしれない。ここに用いられる場合、用語「コンテンツ供給者」は、コンテンツプロバイダ、コンテンツ小売業者、課金および顧客サービスプロバイダ、ネットワークサービスプロバイダ、メディア配信システム２２のようなメディア配信業者、並びに機器ユーザへのコンテンツ配信の系列内にあるもしくは関係する任意の関係者、の１つまたは任意の組合せを含むかもしれない。しかし、いくつかの態様において、例えば新しい形式またはテーマのコンテンツを扱う場合などにおいて、機器ユーザがコンテンツ供給者によって用いられるかもしれないコンテンツ記述子を定義するかもしれないことに注意すべきである。
【００２５】
同様に、複数のコンテンツ２４の少なくとも１つは１つ以上の割り当てられたコンテンツ記述子４８に関連している。このコンテンツ記述子は与えられたコンテンツに対して個別に定義されるかもしれない、および／または、１つ以上のサービスＩＤ４４、４６のそれぞれに関連する１つ以上の予め定められたコンテンツ記述子４０、４２から選択されるかもしれない。例えば、複数のコンテンツ２４のそれぞれの１つに関連している１つ以上のコンテンツ供給者は、１つ以上のコンテンツ記述子４０、４２を、それぞれのコンテンツの１つに対するそれぞれの割り当てられたコンテンツ記述子４８として定義または選択するかもしれない。さらに、いくつかの態様において、１つ以上の割り当てられたコンテンツ記述子４８はそれぞれの１つ以上のサービスＩＤ４４、４６に、したがって、それぞれのサービスまたはチャネルに関係づけられているかもしれない。
【００２６】
さらに、複数の無線機器２５−２７のそれぞれの機器、例えば予め定められたメディアモジュール５０を有するような機器、は１つ以上のユーザの個人化されたコンテンツ嗜好記述子５２−５４を得るように動作可能であるかもしれない。この記述子は、機器ユーザが関心を持つと思われるコンテンツをそれぞれの機器が複数の受信可能コンテンツの中から選択するための基準を提供するものである。いくつかの態様において、ユーザの個人化されたコンテンツ嗜好記述子５２−５４は１つ以上のそれぞれのサービス３６に対する受信された１つ以上の予め定められたコンテンツ記述子４０、４２の中から選択されるかもしれない。他の態様において、ユーザの個人化されたコンテンツ嗜好記述子５２−５４は論理的に決定および／または予測されるかもしれない。また受信された１つ以上の予め定められたコンテンツ記述子４０、４２に関連するかもしれない。例えば、ユーザの個人化されたコンテンツ嗜好記述子５２−５４は、ユーザが示した嗜好、ユーザ／機器の挙動に基づくユーザから得た嗜好、位置、機器の現地時間、ユーザのコンテンツ消費挙動、機器に関連する無線ネットワーク事業者、ユーザのデモグラフィックス情報、サイコグラフィックス情報または機器ユーザもしくは識別された友人、家族および／もしくは同僚のような機器ユーザに関連した一人以上の機器ユーザの性格の特徴、好み情報、ユーザ機器特性、等のひとつまたは任意の組合せに基づくかもしれない。いずれにしても、１つ以上のそれぞれのユーザの個人化されたコンテンツ嗜好記述子５２−５４の各々はユーザの嗜好に依存して装置毎およびユーザ毎に変わるかもしれない。
【００２７】
無線機器２５−２７は１つ以上の割り当てられたコンテンツ記述子４８を有する複数のコンテンツ２４のそれぞれの１つを、例えば与えられたフロー３４内で識別するように動作可能なコンテンツ選択エンジン５６をさらに含むかもしれない。この記述子はそれぞれの１つ以上のユーザの個人化されたコンテンツ嗜好記述子５２−５４に対応および／または整合するものである。さらに、１つ以上のユーザの個人化されたコンテンツ嗜好記述子５２−５４は任意の到来コンテンツに広範囲に適用されるかもしれない、および／または、それぞれのサービスＩＤ４４、４６に関連する与えられたサービス３６に選択的に適用されるかもしれない。いずれにしても、結果として、コンテンツ選択エンジン５６は１つまたは複数のコンテンツ２４のそれぞれのフロー３４から、選択されたコンテンツ５７−５９とそれぞれ呼ばれる識別された整合コンテンツを抽出するように動作可能である。このように、それぞれの選択されたコンテンツ５７−５９は、それぞれの１つ以上のユーザの個人化されたコンテンツ嗜好記述子５２−５４に反映されたユーザの嗜好に依存して装置毎およびユーザ毎に変わるかもしれない。
【００２８】
付加的に、コンテンツ選択エンジン５６は選択されたコンテンツ５７−５９の更なる処理をそれぞれの無線機器２５−２７上で開始するように動作可能であるかもしれない。例えば、コンテンツ選択エンジン５６は選択されたコンテンツ５７−５９をそれぞれの機器２５−２７上で例えばデータ保管庫、メモリー、および／または、コンテンツ格納手段６０などの中に保存することを開始するかもしれない。代替的にまたは付加的に、コンテンツ選択エンジン５６は選択されたコンテンツ５７−５９を、それぞれの機器２５−２７上で例えばディスプレイ、スピーカ、触覚フィードバック手段、およびそれの組合せを含むユーザインタフェース６２を介して提示することを開始するかもしれない。
【００２９】
したがって、種々の態様において、説明した通信ネットワーク２０の装置および方法は複数のコンテンツであって、少なくともいくつかのコンテンツが１つ以上の記述子、すなわちコンテンツを記述するメタデータ、を有するかまたは関連しているコンテンツの配信を提供する。さらに、いくつかの態様において、本装置および方法はコンテンツに関連する可能性があるかもしれない複数の予め定められたコンテンツ記述子の別々の配信を提供するかもしれない。さらに、種々の態様において、説明した通信ネットワーク２０の装置および方法は複数のコンテンツのマルチキャストフローから無線機器によって選択されたコンテンツの保存および提示を提供する。この選択は個人化されたコンテンツ嗜好記述子とそれぞれのコンテンツに関係する１つ以上のコンテンツ記述子との間の対応および／または整合に基づく。したがって、無線機器のユーザは無線機器によってコンテンツ群からフィルタリングされ抽出された、予め定められたユーザ嗜好に基づくユーザが関心を持つと思われるコンテンツを提供される。
【００３０】
図２を参照して、いくつかの態様において、無線機器２５のような任意の無線機器２５−２７の代表的構成部品を図示する。無線機器２５−２７はそれぞれ携帯電話２５、携帯用情報端末（ＰＤＡ）２６およびラップトップコンピュータ２７として図示されているが、無線機器は、例えば双方向ページャ、携帯ゲーム機、携帯音楽機器、任意の他の形式の携帯用計算機器および無線通信ポータルを有する分離型計算機プラットホームのような任意の形式の情報化無線機器をも含むかもしれないこと、およびこれらはネットワークまたはインタネットへの有線接続を有しているかもしれないことに注意すべきである。無線機器はリモートスレーブ、リモートセンサ、診断ツール、データ中継器、およびエンドユーザを持たない無線ネットワークを通じて単にデータを伝達する任意の他の機器であり得る。従って、本装置および方法は無線モデム、ＰＣＭＣＩＡカード、接続端末、パーソナルコンピュータ、電話、またはそれの任意の組合せもしくは下位組合せを非限定的に含む有線または無線通信ポータルを含む任意の形式の無線機器またはコンピュータモジュールで実行され得る。
【００３１】
無線機器２５はデータネットワーク３８のようなネットワークを通じてデータを送信でき、かつルーチンおよびアプリケーションを受信し実行し、任意のネットワーク機器またはネットワークもしくは無線機器２５に接続された他の計算機器から送信されたデータを選択的に表示できる計算機プラットホーム６４を含む。例えば、計算機プラットホーム６４はハードウェア、ファームウェア、ソフトウェア、データ、実行可能命令、およびそれの組合せで具体化されるかもしれない。計算機プラットホーム６４は読み出し専用および／またはランダムアクセスメモリ（ＲＡＭおよびＲＯＭ）、ＥＰＲＯＭ、ＥＥＰＲＯＭ、フラッシュカード、または計算機プラットホームに一般的な任意のメモリーのような揮発性および不揮発性メモリー６６を含むかもしれない。さらに、メモリー６６は、１つ以上のフラッシュメモリセルを含むかもしれない。または可搬形メモリー手段を含む磁気媒体、光学媒体、テープ、ソフトもしくはハードディスクのような任意の二次もしくは三次の記憶機器であるかもしれない。
【００３２】
さらに、計算機プラットホーム６４は、処理エンジン６８を含むかもしれない。これは１つ以上の特定用途向けＩＣ（「ＡＳＩＣ」）、チップセット、プロセッサ、論理回路、および任意の他のデータ処理機器であるかもしれない。いくつかの態様において、処理エンジン６８、またはＡＳＩＣのような他のプロセッサは無線機器２５のメモリー６６内に格納されるメディアモジュール５０のような任意の常駐プログラムとのインタフェースであるアプリケーションプログラミングインタフェース（ＡＰＩ）層７０を実行するかもしれない。ＡＰＩ７０は通常それぞれの無線機器上で実行するランタイム環境である。そのようなランタイム環境の１つはカリフォルニア州サンディエゴにあるクアルコム社が開発したBinary Runtime Environment for Wireless （Ｒ）（無線用バイナリランタイム環境（Ｒ））（ＢＲＥＷ（登録商標））ソフトウェアである。例えば無線計算機器上でアプリケーションの実行を制御するように動作する他のランタイム環境が利用されるかもしれない。
【００３３】
付加的に、処理エンジン６８はハードウェア、ファームウェア、ソフトウェア、データ、実行可能命令、およびそれの組合せで具体化される種々の処理サブシステム７２を含むかもしれない。これらは無線機器２５の機能およびネットワーク３８上で無線機器の操作を使用可能状態にする。例えば、処理サブシステム７２は、メディア配信システム２２および／または他のネットワーク機器との交信を開始、維持およびデータ交換することを可能にする。例えば、無線機器が携帯電話２５であると定義される態様において、通信処理エンジン６８は処理サブシステム７２の１つまたは組合せをさらに含むかもしれない。サブシステムは例えば音、不揮発性メモリー、ファイルシステム、送信、受信、探索器、層１、層２、層３、主制御、リモート手順、ハンドセット、電力管理、ディジタル信号プロセッサ、メッセージ通信、呼管理、ブルートゥース（登録商標）システム、ブルートゥース（Ｒ）ＬＰＯＳ、測位エンジン、ユーザインタフェース、スリープ、データサービス、セキュリティ、認証、ＵＳＩＭ／ＳＩＭ、音声サービス、ボコーダ、メッセージ通信、グラフィックス、ＵＳＢ、マルチメディアのようなものである。開示された態様において、処理エンジン６８の処理サブシステム７２は、ここに説明した機能を使用可能状態にする、計算機プラットホーム６４で実行するアプリケーションと対話する任意のサブシステム構成部品を含むかもしれない。例えば、処理サブシステム７２はメディアモジュール５０に代わってＡＰＩ７０から読み出しデータおよび書き込みデータを受け取る任意のサブシステム構成部品を含むかもしれない。
【００３４】
さらに、計算機プラットホーム６４はハードウェア、ファームウェア、ソフトウェア、データ、実行可能命令、およびそれの組合せで具体化した通信モジュール７４を含むかもしれない。これらは無線機器２５とネットワーク３８の間と同様に無線機器２５の種々の構成部品間の通信を可能とする。例えば、携帯電話の態様において、通信モジュール７４は、無線通信接続を確立するための送信および受信系列の構成部品を含む必要なハードウェア、ファームウェア、ソフトウェア、データ、実行可能命令、およびそれの組合せを含むかもしれない。付加的に、例えば通信モジュール７４はそれぞれの機器に関連する任意の入出力ポートを含むかもしれない。
【００３５】
さらに、いくつかの態様において、通信モジュール７４は１つ以上の予め定められたコンテンツ記述子４０および／または４２を受信するように、並びにそれらをメディアモジュール５０へ転送、またはそれらへのアクセスをメディアモジュール５０に提供するかのいずれかをするように動作可能であるかもしれない。同様に、例えば、通信モジュール７４は複数のコンテンツ２４および、もしあれば、関連するそれぞれの１つ以上の割り当てられたコンテンツ記述子４８をメディア配信システム２２から受信し、コンテンツ選択エンジン５６へそれらを転送またはそれらへのアクセスを提供するように動作可能である。
【００３６】
次に、例えば、通信モジュール７４はコンテンツ選択エンジン５６からの指示に基づく更なる処理のために、選択されたコンテンツ５７−５９をそれぞれ他の機器構成部品へ転送するように動作可能である。
【００３７】
付加的に、無線機器２５は無線機器への入力を生成するための１つ以上の入力手段７６、および無線機器のユーザによる消費のための情報を生成するための１つ以上の出力手段を含むかもしれない。例えば、入力手段７６はキーまたはキーボード、ナビゲーション手段、マウス、タッチスクリーンディスプレイ、音声認識モジュールを伴うマイクロホンのような手段を含むかもしれない。ある態様において、入力手段７６は、無線機器上のアプリケーションまたはモジュールを起動または対話するためのユーザ入力を提供するかもしれない。さらに、例えば、出力手段７８はディスプレイ、オーディオスピーカー、触覚フィードバック手段などを含むかもしれない。さらに、ユーザインタフェース６２は入力手段７６および／または出力手段７８の１つまたは任意の組合せを含むかもしれない。
【００３８】
付加的に、計算機プラットホーム６４は上述したようにメディアモジュール５０をさらに含むかもしれない。例えば、メディアモジュール５０は１つ以上のハードウェア、ファームウェア、ソフトウェア、データ、実行可能命令、およびそれの組合せで具体化されるかもしれない。メディアモジュール５０はここに検討したユーザの個人化に関連するもしくは個人化コンテンツ嗜好に関連する、入力／出力に関連する、メディア管理に関連する、およびメディアのコンテンツ表示に関連する諸動作のすべてまたは少なくとも何らかの部分を管理、実行、および／または開始するように動作可能である。例えば、メディアモジュール５０はメディア配信システム２２に関連するクライアントアプリケーションおよび／またはクライアントエージェントを含むかもしれない。
【００３９】
いくつかの態様において、例えばメディアモジュール５０はユーザインタフェースロジック８０を含むかもしれない。このロジックは種々のコンテンツ管理機能、例えば個人化選択動作、チャネル／サービス申込動作、コンテンツの実行および格納等、を実行するために、機器ユーザとインタフェース接続することに適する複数のメディアメニュー８２の１つ以上を生成するように動作可能である。
【００４０】
例えば、図３を参照して、１つ以上の個人化されたコンテンツ嗜好記述子５２−５４を生成するために機器ユーザからユーザ個人化情報を集めるいくつかの態様において、ユーザインタフェースロジック８０はユーザ個人化メニュー８４を生成するかもしれない。メニュー８４はディスプレイ型ユーザインタフェース６２などで機器ユーザに提示されるかもしれない。またメニュー８４は機器ユーザに１つ以上の予め定められたコンテンツ記述子４０（または４２）、例えばそれぞれのチャネル８６に関係しているかもしれない記述子、を提供するように動作可能であるかもしれない。上述のように、チャネル８６はコンテンツ供給者用にカスタマイズされた与えられたサービス３６を含む。このように１つのチャネルは対応するサービスＩＤ４４（または、４６）（図１）にさらに関連づけられるかもしれない。例えば、与えられたチャンネル８６を最初に起動するとき、ユーザインタフェースロジック８０は自動的にまたはユーザの要求に基づいてユーザ嗜好選択メニュー８４を複数のメディアメニュー８２（図２）から得て、それを機器ユーザに提示する。このように、ユーザは１つ以上の予め定められたコンテンツ記述子４０の選択肢を示すために、ハイライト、チェックマークなどのような選択肢標識８８を提供するための１つ以上の入力手段７６を利用するかもしれない。このように、いくつかの態様において、予め定められたコンテンツ記述子４０の選択された１つは、それによって、ユーザの個人化されたコンテンツ嗜好記述子５２として定義、またはそれと関連づけられるかもしれない。さらに、例えばユーザ嗜好選択メニュー８４は選択可能な機能を含むかもしれない。この機能とは例えば表示された選択を保存するための「保存」仮想ボタン９０、並びに／または複数のメディアメニュー８２（図２）、例えばヘルプメニュー、および／または保存する多くのコンテンツおよび／もしくはそれぞれのチャネルから選択されたコンテンツ用に割り当てられるメモリー量を確認するためのメニュー、のいずれか１つにアクセスするための「オプション」仮想ボタン９２である。したがって、いくつかの態様において、ユーザ個人化メニュー８４からの１つ以上の予め定められたコンテンツ記述子４０を機器ユーザが識別することは、結果として１つ以上のユーザの個人化されたコンテンツ嗜好記述子５２を生成する。
【００４１】
あるいはまた、他の態様において、機器ユーザは名前、記述などをタイプ入力することによって、１つ以上のユーザの個人化されたコンテンツ嗜好記述子５２−５４を個別に定義するかもしれない。これらの非サービスプロバイダにより定義されたコンテンツ記述子は、任意の選択された予め定められたコンテンツ記述子と結合され、広範囲な、および／またはサービスもしくはチャンネルベースのユーザの個人化されたコンテンツ嗜好記述子５２として保存されるかもしれない。さらに、いくつかの態様において、ユーザインタフェースロジック８０はアルゴリズム、意志決定ルーチン、ファジィ論理、発見的関係、ニューラルネットワークなどを含むかもしれない。これらは非サービスプロバイダによる定義のコンテンツ記述子を１つ以上の予め定められたコンテンツ記述子に関係づけ、この関係をユーザの個人化されたコンテンツ嗜好記述子５２として保存するように動作可能であるかもしれない。
【００４２】
さらに他の代替例において、図２および４を参照して、メディアモジュール５０は嗜好記述子生成器７９（図２）および／またはユーザインタフェースロジック８０（図２）を含むかもしれない。これはユーザ特性情報５１（図２および４）を１つ以上の予め定められたコンテンツ記述子４０（および／または４２、図２）に関係づけるように動作可能であるかもしれないアルゴリズム、意志決定ルーチン、ファジィ論理、発見的関係、ニューラルネットワークなどの少なくとも１つを含むかもしれない。さらに、嗜好記述子生成器７９および／またはユーザインタフェースロジック８０は、１つ以上のこれらの関係を１つ以上のユーザの個人化されたコンテンツ嗜好記述子５２（および／または５５）として格納するように動作可能である。上述のように、ユーザ特性情報５１はそれぞれの機器ユーザおよび／またはそれぞれの機器に関連する任意の情報を含むかもしれない。例えば、ユーザ特性情報５１は１つまたは以下の任意の組合せを非限定的に含むかもしれない：例えば広範囲なレベルにおけるおよび／またはチャンネル／サービスレベルにおけるコンテンツカテゴリー、コンテンツ形式、コンテンツジャンルのようなユーザ嗜好；機器の位置、機器のローカル日時、加入無線事業者のような環境情報；年齢、性別、所得水準などのデモグラフィックス；機器ユーザまたは機器ユーザに関係する他の任意の数のサイコグラフィックスまたは特徴情報；過去の利用挙動、友人／家族／同僚などの挙動などのような予め定められた要素に基づいて、機器ユーザがどのコンテンツを好むかもしれないかに関する予測のような好みベースの情報；機器のハードウェアおよび／またはソフトウェアの特性；および、どのアプリケーション、データおよびコンテンツが何時どれくらいの時間用いられ／消費されたかというような機器ベースのユーザ挙動情報。ユーザ特性情報５１が、機器ユーザにより好まれる、および機器ユーザに適切な、関連する、および／または関心のあるコンテンツへの洞察力を提供するかもしれないいかなる他の情報も含むかもしれないことに注意するべきである。いくつかの態様において、ユーザ特性情報５１はそれぞれの無線機器２５のメモリー６６にあるかもしれない。一方他の態様においては、ユーザ特性情報５１のすべてまたは何らかの部分は他の機器から、例えばコンテンツ供給者関連の機器から利用可能である。
【００４３】
さらに、上で注意したように、いくつかの態様において、１つの機器／ユーザに関して、それぞれの個人化されたコンテンツ嗜好記述子５２は、与えられたサービスＩＤ４４（および、したがって、与えられたチャンネルまたはサービス）に関係づけられるかもしれないし、また１つ以上の予め定められたコンテンツ記述子４０の対応する特定のチャネル／サービスセットから選択される。同様に、別の機器／ユーザに関して、別のそれぞれの個人化されたコンテンツ嗜好記述子５３は、別の異なる与えられたサービスＩＤ４６（および、したがって、異なる与えられたチャンネルまたはサービス）に関係づけられるかもしれないし、また１つ以上のコンテンツカテゴリー４２の対応する特定のチャネル／サービスセットから選択されるかもしれない。例えば、モバイルニュースチャンネルまたはサービス（図３を見よ）において、予め定められたコンテンツ記述子４０はワールドニュース、米国ニュース、気象ニュース、ビジネスニュース、スポーツニュース、政治ニュース、技術ニュース、健康ニュース、および旅行ニュースなどのカテゴリーを非限定的に含むかもしれない。野球関連チャンネルまたはサービスなどの別の例において、予め定められたコンテンツ記述子は、各チームに対するカテゴリー、それぞれのディビジョンまたはリーグからのハイライトに対するカテゴリー、すべてのハイライトに対するカテゴリーなどのカテゴリーを非限定的に含むかもしれない。さらに別の例において、音楽チャンネルまたはサービスにおいて、予め定められたコンテンツ記述子は、それぞれのジャンル、例えばロック、カントリー、ヒップホップ、リズムアンドブルース等、に対するカテゴリー、アーティストの名前に対応するカテゴリー、アルバムの名前に対応するカテゴリーなどのようなカテゴリーを非限定的に含むかもしれない。
【００４４】
付加的に、上で検討したように、メディアモジュール５０は通信モジュール７４が受信したフロー３４内の複数のメディアコンテンツ２４（図１）から１つ以上の選択されたコンテンツ５７を抽出するように動作可能なンテンツ選択エンジン５６を含むかもしれない。特に、コンテンツ選択エンジン５６は複数のコンテンツ２４の１つに関連するそれぞれの割り当てられたコンテンツ記述子４８（図１）と、対応する１つ以上の個人化されたコンテンツ嗜好記述子５２−５４であって、それぞれの機器ユーザに関連する記述子との間の整合および／またはあるレベルの対応を決定するように動作可能な選択ロジック９４、例えば予め定められたアルゴリズム、法則、ファジィ論理、意志決定ルーチンなど、を含むかもしれない。「整合」は、ここで用いられる場合、完全な整合、少なくとも１つの整合部分、整合の尤度、および整合の割合の１つまたは組合せを非限定的に含む。ここで予め定められた整合しきい値９９は整合を決定するために利用されるかもしれない。例えば、整合しきい値は予め定めた１つ以上の個人化されたコンテンツ記述子、または個人化コンテンツ記述子の予め定めた数または割合を示すかもしれない。個人化されたコンテンツ記述子はコンテンツが整合したとして選択されるようにそれぞれのコンテンツのコンテンツ記述子との関連がなければならないさらに、いくつかの態様において、識別された整合に基づいて、選択ロジック９４は選択されたコンテンツ５７の格納および／または表示を、例えば１つ以上の割り当てられたコンテンツ記述子４８によって識別されるかもしれないコンテンツ形式、例えば実時間または非実時間、に基づいて、開始するかもしれない。
【００４５】
図４を参照して、例えば、１つの非限定的な態様において、メディアモジュール５０（図２）はユーザ特性情報５１のデータベースにアクセスするかもしれない。そのような情報５１のデータベースは、コンテンツ記述子４０、４２としておよび／またはそれらに関連して、および／または個人化コンテンツ記述子５２−５４として利用されるかもしれないカテゴリー９３およびサブカテゴリー９５を含むかもしれない。コンテンツ選択エンジン５６（図１および２）はそれぞれのコンテンツを選択されたコンテンツ５７として選ぶかどうかを決定する際にユーザ特性情報５１のすべてまたは任意の部分を考慮するかもしれない。
【００４６】
付加的に、メディアモジュール５０はコンテンツ提示ロジック９６を含むかもしれない。このロジックは、メディアモジュール５０を管理するために機器ユーザと連係するのに適した複数のメディアメニュー８２の１つ以上および選択されたコンテンツ５７を生成し、さらに提示物を生成しおよび／または無線機器２５上でコンテンツの記憶機器を管理するように動作可能である。    
例えば、図５を参照して、コンテンツ提示ロジック９６は機器ユーザに１つ以上の選択されたコンテンツ５７（または、５８または５９）を提示する個人化されたコンテンツリストメニュー９８を、例えばディスプレイ型ユーザインタフェース６２上に生成するかもしれない。例えば、いくつかの態様において、個人化されたコンテンツリストメニュー９８はそれぞれのチャネル８６に関連する選択されたコンテンツ５７を列挙する。一方他の態様においては、リストは１つより多いチャネルからまたはすべてのチャネルから選択されたコンテンツを含むかもしれない。個人化されたコンテンツリストメニュー９８は、上でコンテンツ選択エンジン５６に関して説明したように、無線機器ベースの整合動作に基づくコンテンツの個人化されたリストを含む。例えば、メディアモジュール５０の初期化時に、コンテンツ提示ロジック９６は、複数のメディアメニュー８２（図２）から個人化されたコンテンツリストメニュー９８を、自動的にまたは入力手段７６（図２）によって受け取られた機器ユーザ入力に応じて得て、それを機器ユーザに提示するかもしれない。
【００４７】
いくつかの態様において、例えば、コンテンツ提示ロジック９６は選択されたコンテンツ５７を探し出し、コンテンツ識別子（ＩＤ）１００および／または割り当てられたコンテンツ記述子４８のような予め定められた情報を解析し、この情報を機器ユーザに提示するように動作可能である。例えば、コンテンツＩＤ１００は対応するコンテンツに関連する名前、タイトル、一意的識別子などの１つまたはいくつかの組合せを非限定的に含むかもしれない。いくつかの態様において、割り当てられたコンテンツ記述子４８（図１）がコンテンツＩＤ１００を含むことが望ましいかもしれない。または逆も同様である。一方他の態様において、割り当てられたコンテンツ記述子４８とコンテンツＩＤ１００が互に排他的であることが望ましいかもしれない。いずれにしても、ユーザはハイライト、チェックマークなどの選択肢標識８８を提供するための１つ以上の入力手段７６（図２）を利用して、１つ以上の列挙されたコンテンツの選択肢を指示するかもしれない。さらに、例えば、コンテンツ提示ロジック９６は、例えば出力手段７８（図２）を介して示された選択肢の選択、実行および提示を開始するための「選択」仮想ボタン１０２のような選択可能な機能を含むかもしれない。付加的に、選択可能な機能は、ヘルプメニュー、コンテンツを消去および／またはコンテンツに関連した設定、例えばコンテンツの数および／またはコンテンツを保存するために利用するメモリー量、コンテンツを保存するための予め定められた時間等、を調整するためのコンテンツ管理メニューのような他のメニューにアクセスするための「オプション」仮想ボタン１０４をさらに含むかもしれない。
【００４８】
図２を再度参照して、メディアモジュール５０に関連するコンテンツ記憶装置６０は任意の選択されたコンテンツ５７のための長期および／または短期格納を提供するかもしれない。例えば、長期格納は機器ユーザが保有することを望み、または将来実行することを望む選択されたコンテンツ５７に対して望ましいかもしれない。一方短期格納は他の短期格納と同様にコンテンツの実行に関係するメモリー空間を含むかもしれない。コンテンツ記憶装置６０は読み出し専用および／またはランダムアクセスメモリ（ＲＡＭおよびＲＯＭ）、ＥＰＲＯＭ、ＥＥＰＲＯＭ、フラッシュカード、または計算機プラットホームに一般的な任意のメモリーのような揮発性および不揮発性メモリーを含むかもしれない。さらに、コンテンツ記憶装置６０は１つ以上のフラッシュメモリセルを含むかもしれない。または可搬形メモリー手段を含む磁気媒体、光学媒体、テープ、ソフトもしくはハードディスクのような任意の二次もしくは三次の記憶機器であるかもしれない。
【００４９】
図６を参照して、いくつかの態様において、メディア配信システム（ＭＤＳ）２２は任意の形式のハードウェア、ソフトウェア、ファームウェア、サーバ、パーソナルコンピュータ、ミニコンピュータ、メインフレームコンピュータ、並びに一般的に任意の専用および／または汎用計算機器の１つまたは任意の組合せを含むかもしれない。さらに、データを受信し、処理し、関係者へ利用できる形で提供するように、および／または機器とネットワークとＭＤＳ２２間のデータフローにおいて別々の制御層を提供するように、共同して動作する個別のサーバまたは計算機器および／またはＭＤＳ２２に関係するネットワークがあっても良い。
【００５０】
ＭＤＳ２２はデータを受信、送信し、ソフトウェアアプリケーションを受信、実行し、並びにデータおよび／またはコンテンツを生成および／または表示できる１つまたは複数の常駐および／または分散計算機プラットホームを含む計算機プラットホーム１１０を含むかもしれない。例えば、計算機プラットホーム１１０はハードウェア、ファームウェア、ソフトウェア、データ、実行可能命令、およびそれの組合せで具体化されるかもしれない。
【００５１】
計算機プラットホーム１１０はＭＤＳ２２への入力を生成するための入力手段１１２、並びにＭＤＳ２２のローカルおよび／またはリモートオペレータによる消費のための情報を生成するための出力手段１１４に関係づけられるかもしれない。例えば、入力手段１１２はキーまたはキーボード、マウス、タッチスクリーンディスプレイ、音声認識モジュール等のような手段を含むかもしれない。さらに、例えば出力手段１１４はディスプレイ、オーディオスピーカー、触覚フィードバック手段などを含むかもしれない。付加的に、入力手段１１２はＭＤＳ２２へのアクセスを有するリモート計算機、ダム端末、および／または、ワークステーションのようなリモート機器であるかもしれない。いくつかの態様において、例えば、入力手段１１２、および／または、出力手段１１４は、以下の１つ以上を管理するために１つ以上のオペレータによって利用されるかもしれない：コンテンツプロバイダから受信するコンテンツの受信およびカテゴリー化；１つ以上のコンテンツ小売業者並びに／または課金および顧客サービスプロバイダに関連するチャンネル、層、およびパッケージの確立、維持、および削除；申込と課金情報の確立、維持、および削除；および、メディアフローによるコンテンツの配信。
【００５２】
さらに、計算機プラットホーム１１０は１つ以上のデータ保管庫、および／またはメモリー１１６を含むかもしれない。これらは読み出し専用および／またはランダムアクセスメモリ（ＲＡＭおよびＲＯＭ）、ＥＰＲＯＭ、ＥＥＰＲＯＭ、フラッシュカード、または計算機プラットホームに一般的な任意のメモリーのような揮発性および不揮発性メモリーを含むかもしれない。さらに、メモリー１１６は１つ以上のフラッシュメモリセルを含むかもしれない。または可搬形メモリー手段を含む磁気媒体、光学媒体、テープ、ソフトもしくはハードディスクのような任意の二次もしくは三次の記憶機器であるかもしれない。
【００５３】
いくつかの態様において、例えば、メモリー１１６は１つ以上のコンテンツサーバを含む。
【００５４】
さらに、計算機プラットホーム１１０は特定用途向けＩＣ（「ＡＳＩＣ」）、または実行可能命令を行うための他のチップセット、プロセッサ、論理回路、もしくは他のデータ処理機器であるかもしれない処理エンジン１１８も含む。
【００５５】
計算機プラットホーム１１０は１つ以上のハードウェア、ファームウェア、ソフトウェア、データ、実行可能命令、およびそれの組合せで具体化された通信モジュール１２０をさらに含むかもしれない。このモジュールはＭＤＳ２２の種々の構成部品間およびＭＤＳ２２とネットワーク３８と無線機器２５−２７の間の有線および無線通信可能とする。例えば、通信モジュール１２０は無線機器２５−２７および／または、ネットワーク３８との無線交信のための送受信機モジュールを含むかもしれない。
【００５６】
さらに、計算機プラットホーム１１０はＭＤＳ２２に関係するメディアコンテンツ申込と課金機能のすべてを管理するように動作する１つ以上の申込／課金管理モジュール１２２を含むかもしれない。例えば、申込／課金管理モジュール１２２は１つ以上のハードウェア、プロセッサ、ソフトウェア、ファームウェア、データ、および／または、他の実行可能命令のセットで具体化されるかもしれない。さらに、いくつかの態様において、申込／課金管理モジュール１２２は、ＭＤＳ２２に、申込および課金情報１２６を受け取り、格納しおよび操作する機能を提供する申込／課金管理ロジック１２４を含む。例えば、申込／課金情報１２６は申込者／機器ユーザの識別情報、アドレス、および支払い関連情報、対応する無線機器識別子情報、申込者課金先情報、パッケージ、層、およびチャネル情報などを含むかもしれない。さらに、申込／課金管理ロジック１２４は申込関連の情報、例えば申込要求、対応する承諾または拒否、およびコンテンツのチャネル、層またはパッケージに対する承諾された申込要求に基づくディジタル著作権管理、を受け取り、処理しおよび送信するように動作可能であるかもしれない。
【００５７】
付加的に、計算機プラットホーム１１０はＭＤＳ２２に関連するメディアコンテンツ配信機能のすべてを管理するように動作する１つ以上の配信管理プログラムモジュール１２８を含むかもしれない。例えば、配信管理プログラムモジュール１２８は１つ以上のハードウェア、プロセッサ、ソフトウェア、ファームウェア、データ、および／または、他の実行可能命令のセットで具体化されるかもしれない。さらに、いくつかの態様において、配信管理プログラムモジュール１２８はＭＤＳ２２に、配信情報１３２を受け取り、格納しおよび操作し、並びにコンテンツの配信を制御する機能を提供する配信管理ロジック１３０を含む。例えば、配信情報１３２は、情報および／またはフロー、フロー領域、ネットワーク、コンテンツ、チャンネル、サービス、層、パッケージ、コンテンツ供給者等の１つまたは組合せような情報間の相対的な関係を含むかもしれない。さらに、配信管理ロジック１３０はコンテンツ小売業者に特有の情報、例えばカスタム化情報、補助的サービス、補助的表示、チャネル情報、層情報、およびパッケージ情報、と同様にコンテンツおよびコンテンツ関連情報を受け取り、処理するように動作可能であるかもしれない。付加的に、配信管理ロジック１３０は、フロー３４を例えばマルチキャスト手段３３を介して送信開始するように動作可能であるかもしれない。例えば、マルチキャスト手段３３はカリフォルニア州サンディエゴのクアルコム社から入手可能なＭＥＤＩＡＦＬＯＴＭシステムを含むForward Link Only（順方向リンク専用）（ＦＬＯ）ネットワークのようなマルチキャストシステムのすべてまたは何らかの一部を含むかもしれない。
【００５８】
付加的に、計算機プラットホーム１１０はＭＤＳ２２によって受信されたメディアコンテンツおよび配信されたチャネル／サービスに関連する操作を管理するように動作する１つ以上のコンテンツ／チャネル管理プログラムモジュール１３４を含むかもしれない。例えば、コンテンツ／チャンネル管理プログラムモジュール１３４は１つ以上のハードウェア、プロセッサ、ソフトウェア、ファームウェア、データ、および／または、他の実行可能命令のセットで具体化されるかもしれない。さらに、いくつかの態様において、コンテンツ／チャンネル管理プログラムモジュール１３４はコンテンツ／チャンネル管理ロジック１３６を含む。これはＭＤＳ２２に、割り当てられたコンテンツ記述子４８、コンテンツＩＤ１００、および関係するチャネル／サービス情報、例えば関係するコンテンツ、層、およびパッケージ情報のような関連するコンテンツ関係の情報と同様に、複数のコンテンツ２４並びにそれぞれのサービス３４（図１）および／またはチャネル８６（図３）、を受信し、蓄積し、操作する機能を提供するものである。
【００５９】
いくつかの態様において、例えば、コンテンツ／チャンネル管理ロジック１３６は種々のコンテンツおよびチャネル／サービス管理機能、例えばチャネル／サービスの定義、カテゴリー定義動作およびコンテンツ記述子動作、を実行するためのＭＤＳ２２のユーザとのインタフェースに適する、複数のコンテンツおよびチャネル／サービスメニュー１３８の１つ以上を生成するように動作可能である。
【００６０】
例えば、図７を参照して、コンテンツ／チャンネル管理ロジック１３６はチャンネル／サービス記述子メニュー１４０を、例えば入力手段１１２（図６）および／または出力手段１１４（図６）に関連するディスプレイ型ユーザインタフェース上に生成するかもしれない。チャンネル／サービス記述子メニュー１４０はユーザがチャネル８６（または図１のサービス３６）がそれぞれに関係する予め定められたコンテンツ記述子４０（または４２）を定義できるようにする。例えば、与えられたチャンネル８６（または、サービス３６）を起動すると、コンテンツ／チャンネル管理ロジック１３６は自動的に複数のコンテンツおよびチャンネル／サービスメニュー１３８（図６）からチャンネル／サービス記述子メニュー１４０を検索し、ユーザにそれを提示するかもしれない。代わりに、受信したユーザ入力に基づいてメニュー１４０が検索されるかもしれない。いずれにしても、ユーザは定義された記述子１４２のリストを作成するために、１つ以上の入力手段１１２（図６）を利用するかもしれない。例えば、ユーザは名前、説明、記述子のデータベースを参照するかもしれない記述子コードをタイプ入力することにより、および／またはコンテンツ記述子データベースから得たコンテンツ記述子のリストから選択することにより、記述子を個別に定義するかもしれない。さらに、例えば、チャンネル／サービス記述子メニュー１４０は選択可能な機能を含むかもしれない。この機能とは、例えばリストされたカテゴリーを保存するための「保存」仮想ボタン１４４、並びに／または複数のコンテンツおよびチャネル／サービスメニュー１３８（図６）、例えばヘルプメニュー、および／または新しい記述子を入力もしくは定義し、既存の記述子を編集もしくは削除するメニュー、のどれか１つにアクセスするための「オプション」仮想ボタン１４６である。このように、定義された記述子１４２のリストが作成され、および／または変更され、次にチャネル８６がそれぞれに関係づけられ得る予め定められたコンテンツ記述子４０を構成するために保存され得る。したがって、いくつかの態様において、ユーザのチャンネル／サービス記述子メニュー１４０との対話は、結果としてチャンネル８６および／またはサービス３６（図１）がそれぞれに対応する１つ以上の予め定められたコンテンツ記述子４０を生成する。
【００６１】
付加的に、図８を参照して、いくつかの態様において、コンテンツ／チャンネル管理ロジック１３６はユーザが複数のコンテンツ２４の与えられた１つをカテゴリー化しおよび／または記述することを可能とするように動作可能である。コンテンツ／チャンネル管理ロジック１３６は与えられたコンテンツＩＤ１００を１つ以上のそれぞれの割り当てられたコンテンツ記述子４８として関係づけるために、利用可能なコンテンツ記述子１５０のリストから１つ以上のコンテンツ記述子をユーザが選択しおよび／または個人的に定義することを可能にするコンテンツ記述子メニュー１４８を生成するかもしれない。例えば、コンテンツ記述子メニュー１４８は、入力手段１１２（図６）および／または出力手段１１４（図６）に関係するディスプレイ型ユーザインタフェース上にＭＤＳ２２のユーザへ提示されるかもしれない。付加的に、いくつかの態様において、コンテンツ／チャンネル管理ロジック１３６は識別されたチャネル８６および／またはサービス３６（図１）に基づいて、上で検討したように定義された関連する予め定められたコンテンツ記述子４０（または４２）を用いて利用可能なコンテンツ記述子１５０のリストを形成するように動作可能である。
【００６２】
例えば、複数のコンテンツ２４（図６）の与えられた１つを受信すると、コンテンツ／チャンネル管理ロジック１３６は複数のコンテンツおよびチャンネル／サービスメニュー１３８（図６）からコンテンツ記述子メニュー１４８を自動的に検索し、ユーザにそれを提示するかもしれない。代わりに、受信したユーザ入力に基づいてメニュー１４８が検索されるかもしれない。さらに別の代替において、メニュー１４８はコンテンツ記述子４０、４２をＭＤＳ２２によるコンテンツ受信に先立って、与えられたコンテンツに関係づけ、それによって割り当てられたコンテンツ記述子４８を定義するために、コンテンツプロバイダ２８、３０（図１）によって利用されるかもしれない。いずれにしても、１つ以上の予め定められたコンテンツ記述子４０の選択肢を示し、それによって、与えられたコンテンツ２４との関連づけのために１つ以上の割り当てられたコンテンツ記述子４８を定義するためのハイライト、チェックマークなどの選択肢標識１５２を提供するために、ユーザは１つ以上の入力手段１１２（図６）を利用するかもしれない。
【００６３】
代替的または付加的に、例えばユーザは名前、説明などをタイプ入力することによって、１つ以上の割り当てられたコンテンツ記述子４８を個別に定義するかもしれない。これらの非標準的記述子は、選択された予め定められたコンテンツ記述子と組合せて、複数のコンテンツ２４の与えられた１つに対する割り当てられたコンテンツ記述子４８として定義されるかもしれない。さらに、いくつかの態様において、コンテンツ／チャンネル管理ロジック１３６はアルゴリズム、意志決定ルーチン、ファジィ論理、発見的関係、ニューラルネットワークなどを含むかもしれない。このロジックは非標準的コンテンツ記述子を１つ以上の予め定められたコンテンツ記述子と関係づけ、この関係を割り当てられたコンテンツ記述子４８として格納するように動作可能であるかもしれない。
【００６４】
さらに、例えば、コンテンツ記述子メニュー１４８は選択可能な機能を含むかもしれない。この機能とは例えば選択されたコンテンツ記述子を割り当てられたコンテンツ記述子４８として保存するための「保存」仮想ボタン１５４、並びに／または複数のコンテンツおよびチャネル／サービスメニュー１３８（図６）のどれか１つにアクセスするための「オプション」仮想ボタン１４６である。例えば、「オプション」仮想ボタン１４６を選択することは、ヘルプメニュー、および／またはコンテンツがどの形式の特徴がそれぞれの記述子に対して考慮されるべきかなどを記述する情報を検索するためのメニュー、へのアクセスを提供するかもしれない。このように、１つ以上の割り当てられたコンテンツ記述子４８は、コンテンツＩＤ１００によって識別されるように、複数のコンテンツ２４（図６）のそれぞれに対して作成されおよび／または変更され、および保存され得る。さらに、１つ以上のコンテンツ記述子の１つのセットは、１つ以上のそれぞれのチャネル８６および／またはサービス３６（図１）に対してカスタマイズされるかもしれない。したがって、いくつかの態様において、チャンネル／サービスメニュー１３８（図６）とのユーザの対話は、結果として、１つ以上のチャンネル８６および／またはサービス３４（図１）それぞれに関連するかもしれない１つ以上の割り当てられたコンテンツ記述子４８を生成する。
【００６５】
図１を再度参照して、ネットワーク３８は任意のデータおよび／またはネットワークを含むかもしれない。いくつかの態様において、例えば、ネットワーク３８はカリフォルニア州サンディエゴのクアルコム社から入手可能な上述したＭｅｄｉａＦＬＯＴＭシステムを含むForward Link Only（ＦＬＯ）ネットワークのようなマルチキャストネットワークシステムのすべてまたは何らかの一部を含む。他の態様において、ネットワーク３８は以下のような他のネットワークの１つまたは組合せを含むかもしれない：衛星用ＤＶＢ−Ｓ、ケーブル用ＤＶＢ−Ｃ、地上テレビジョン用ＤＶＢ−Ｔ、携帯向け地上テレビジョン用ＤＶＢ−Ｈのようなディジタルビデオ放送（ＤＶＢ）ネットワーク；地上電話ネットワーク；衛星電話ネットワーク；赤外線データ通信機能標準化協会（ＩｒＤＡ）に準拠するネットワークのような赤外線ネットワーク；短距離無線ネットワーク；ブルートゥース（Ｒ）技術ネットワーク；ジグビー（Ｒ）プロトコルネットワーク；超広帯域（ＵＷＢ）プロトコルネットワーク；ホームＲＦ（ＨｏｍｅＲＦ）ネットワーク；共有無線接続プロトコル（ＳＷＡＰ）ネットワーク；無線イーサネット（登録商標）製品互換性推進協議会（ＷＥＣＡ）ネットワーク、Ｗｉ-Ｆｉアライアンス（Ｗｉ−Ｆｉ  Ａｌｌｉａｎｃｅ）ネットワーク、８０２．１１ネットワークなどの広帯域ネットワーク；公衆電話交換ネットワーク；インタネットなどの公衆異種通信ネットワーク；自営通信ネットワーク；および陸上移動無線ネットワーク。
【００６６】
さらに、ネットワーク３８のいくつかの態様に含まれるかもしれない電話ネットワークの例はアナログおよびディジタルネットワーク／技術の１つまたは任意の組合せを含む。
【００６７】
その例は、以下の通りである：符号分割多重接続（ＣＤＭＡ）、広帯域符号分割多重接続（ＷＣＤＭＡ（登録商標））、ユニバーサル移動電話システム（ＵＭＴＳ）、先進移動電話サービス（ＡＭＰＳ）、時分割多重接続（ＴＤＭＡ）、周波数分割多重接続（ＦＤＭＡ）、直交周波数分割多重接続（ＯＦＤＭＡ）、広域移動通信システム（ＧＳＭ（登録商標））、単一キャリア（１Ｘ）無線伝送技術（ＲＴＴ）、高速データ専用（ＥＶ-ＤＯ）技術、汎用パケット無線サービス（ＧＰＲＳ）、増強データＧＭＳ環境（ＥＤＧＥ）、高速ダウンリンクデータパケットアクセス（ＨＳＰＤＡ）、アナログおよびディジタル衛星システム、並びに無線通信ネットワークおよびデータ通信ネットワークの少なくとも１つで用いられるかもしれない任意の他の技術／プロトコル。
【００６８】
図９を参照して、動作中にコンテンツを受信するいくつかの態様は無線機器上のユーザ特性情報に基づく個人化されたコンテンツ嗜好記述子を無線機器上で得ることを含む（ブロック１６０）。例えば、いくつかの態様において、無線機器２５はユーザ入力情報に基づくおよび／またはユーザ／機器の挙動から導出される１つ以上のユーザの個人化されたコンテンツ嗜好記述子５２、５５を、受信し、決定しおよび／または生成する。両者ともそれぞれの機器に格納されたユーザ特性情報５１に含まれるかもしれない。いくつかの態様において、個人化されたコンテンツ嗜好記述子５２、５５はコンテンツ供給者によって定義されるかもしれない予め定められたコンテンツ記述子４０、４２に対応するかもしれない。
【００６９】
本方法は複数のコンテンツの１つに関係するまたは対応する予め定められたコンテンツ記述子を無線機器上で得ることを含む（ブロック１６２）。例えば、いくつかの態様において、無線機器２５はＭＤＳ２２からマルチキャストフロー３４で受信した複数のコンテンツ２４の１つ以上に関連する１つ以上の割り当てられたコンテンツ記述子４８を受信するかもしれない。さらに、いくつかの態様において、予め定められたコンテンツ記述子４０、４２はサービスによっておよび／またはコンテンツ供給者によって異なるかもしれない。
【００７０】
さらに、本方法は複数のコンテンツのマルチキャスト送信を無線機器上で得ることを含む（ブロック１６４）。例えば、いくつかの態様において、無線機器２５はＭＤＳ２２からマルチキャストフロー３４で受信した複数のコンテンツ２４の１つ以上を受信するかもしれない。さらに、例えば、マルチキャストフロー３４は複数のコンテンツ供給者のそれぞれの１つに関係しているかもしれない。
【００７１】
付加的に、本方法は複数のコンテンツから１つを、予め定められたコンテンツ記述子と個人化コンテンツ嗜好記述子との間の整合に基づいて無線機器で選択することを含む（ブロック１６６）。例えば、いくつかの態様において、無線機器２５上のコンテンツ選択エンジン５６は、１つ以上のユーザの個人化されたコンテンツ嗜好記述子５２と、ＭＤＳ２２からマルチキャストフロー３４で受信した複数のコンテンツ２４の１つ以上に関連づけられた受信した１つ以上の割り当てられたコンテンツ記述子４８との間の対応を確認するかもしれない。この対応を確認すると、コンテンツ選択エンジン５６はフロー３４から複数のコンテンツ２４のそれぞれ１つ以上を抽出し、それにより、選択されたコンテンツ５７を定義する。さらに、例えば、コンテンツ選択エンジン５６は整合が存在するかどうかを決定するために、予め定められた整合しきい値９９を利用するかもしれない。
【００７２】
さらに、本方法は、無線機器において選択されたコンテンツを処理することを含む（ブロック１６８）。例えば、いくつかの態様において、無線機器２５上のメディアモジュール５０は選択されたコンテンツ５７を実行し、それをユーザインタフェース６２上で機器ユーザに提示するかもしれない。他の態様において、処理は、選択されたコンテンツ５７をコンテンツ記憶装置６０に保存することを含むかもしれない。
【００７３】
図１０を参照して、他の態様において、コンテンツ配信の方法は配信システムにおいてコンテンツ供給者によって定義された複数のコンテンツ記述子を得ることを含む。（ブロック１７０）例えば、いくつかの態様において、メディア配信システム２２は１つ以上のサービスプロバイダと、例えばサービスＩＤ４４および／または４６を介して関係づけられた１つ以上の予め定められたコンテンツ記述子４０および／または４２を受信する。
【００７４】
本方法は配信システムにおいて複数のコンテンツを得ることをさらに含む（ブロック１７２）。例えば、いくつかの態様において、メディア配信システム２２は１つ以上のコンテンツプロバイダ２８および／または３０から複数のコンテンツ２４の１つ以上を受信する。
【００７５】
さらに、本方法は配信システムにおいて、複数のコンテンツ記述子の少なくとも１つと複数のコンテンツの少なくとも１つとの間の関連を得ることを含む（ブロック１７４）。
【００７６】
例えば、いくつかの態様において、コンテンツ／チャンネル管理プログラムモジュール１３４は複数のコンテンツ２４の１つ以上に対する１つ以上の割り当てられたコンテンツ記述子４８を定義する入力を受信する。いくつかの態様において、１つ以上の割り当てられたコンテンツ記述子４８は、１つ以上のサービスプロバイダに関連している予め定められたコンテンツ記述子４０および／または４２から選択されるかもしれない。
【００７７】
付加的に、本方法は複数のコンテンツおよび前記関連を複数の機器へマルチキャストすることを含む（ブロック１７６）。例えば、いくつかの態様において、ＭＤＳ２２は複数のコンテンツ２４の１つ以上のフロー３４および関連する１つ以上の割り当てられたコンテンツ記述子４８を含む、１つ以上の無線機器２５−２７へのマルチキャスト送信を生成するかもしれない。
【００７８】
さらに、本方法は機器の１つにおいて、複数のコンテンツの１つの選択的処理を、関連するコンテンツ記述子とそれぞれの機器に格納された個人化されたコンテンツ嗜好記述子との間の整合に基づいて、動作開始することを含む（ブロック１７８）。例えば、いくつかの態様において、複数のコンテンツ２４の１つ以上のそれぞれに関連するＭＤＳ２２によって送信された１つ以上の割り当てられたコンテンツ記述子４８は、無線機器２５上で、１つ以上の個人化コンテンツ嗜好記述子５２との整合を確認するため、および次にその整合に基づいて複数のコンテンツ２４から選択されたコンテンツ５７を処理／実行／格納するために、コンテンツ選択エンジン５６によって利用される。
【００７９】
したがって、種々の態様において、説明した通信ネットワーク２０の装置および方法は記述子でタグ付された複数のコンテンツおよびコンテンツに関連する可能性のある複数の予め定められた記述子の配信を提供する。さらに、種々の態様において、説明した通信ネットワーク２０の装置および方法は複数の予め定められた記述子から識別されるユーザ特性ベースの記述子とそれぞれのタグ付きコンテンツとの間の整合に基づいて、複数のコンテンツのマルチキャストから無線機器によって選択されたコンテンツの保存および提示を提供する。したがって、無線機器のユーザは無線機器によって多様なグループのコンテンツから抽出され、そのユーザにとって最も関心があり、適切であり、および／または関係があるであろうコンテンツが提供される。
【００８０】
ここに開示された実施例に関して説明された例示的論理、論理ブロック、モジュール、および回路は、汎用プロセッサ、ディジタル信号プロセッサ（ＤＳＰ）、特定用途向ＩＣ（ＡＳＩＣ）、プログラマブルゲートアレイ（ＦＰＧＡ）、フィールドプログラマブルゲートアレイ（ＦＰＧＡ）もしくは他のプログラム可能論理回路、個別ゲートもしくはトランジスタ論理、個別ハードウェア構成部品、またはここに説明した機能を実行するように設計されたそれらの任意の組合せで実施または実行されるかもしれない。汎用プロセッサは、マイクロプロセッサであるかもしれないが、代替的にはプロセッサは、従来からあるメインプロセッサ、制御器、マイクロ制御器または状態機械であるかもしれない。プロセッサはまた、計算機器の組合せ、例えばＤＳＰとマイクロプロセッサ、複数のマイクロプロセッサ、ＤＳＰコアと連係した１つ以上のマイクロプロセッサ、または他のそのような構成として実施されるかもしれない。
【００８１】
さらに、ここに開示された実施例に関して説明された方法またはアルゴリズムのステップは、直接ハードウェアで、プロセッサで実行されるソフトウェアモジュールで、またはその２つの組合せで具体化されるかもしれない。ソフトウェアモジュールはＲＡＭメモリー、フラッシュメモリ、ＲＯＭメモリー、ＥＰＲＯＭメモリー、ＥＥＰＲＯＭメモリー、レジスタ、ハードディスク、可搬形ディスク、ＣＤ−ＲＯＭ、または当業者に既知の任意の他の形式の記憶媒体の中にあるかもしれない。代表的記憶媒体は、プロセッサが情報を記憶媒体から読み出しおよび情報を記憶媒体に書き込むことができるようにプロセッサに接続される。代替的には、記憶媒体はプロセッサの構成部品であるかもしれない。プロセッサおよび記憶媒体はＡＳＩＣ内にあるかもしれない。ＡＳＩＣはユーザ端末内にあるかもしれない。代替的に、プロセッサおよび記憶媒体は個別部品としてユーザ端末内にあるかもしれない。
【００８２】
上記開示は例示的態様を含むが、添付された請求項で定義されるような、説明したこれらの態様の範囲を逸脱することなく種々の変更と修正がなされうることに注意すべきである。例えば、マルチキャスト手段に関して説明したが、説明した態様の１つ以上は他の形式の放送システムに適用されるかもしれない。さらに、例えば、説明した態様の要素は相互に一定の関連または関係を有しているように説明するかもしれないが、説明した要素および／またはその機能が任意の方法で分散されるかもしれないことが理解されるべきである。さらに、説明した態様の要素は単数で説明されまたは請求されるかもしれないが、単数に限定することが明示的に述べられていない場合、複数が想定される。付加的に、別途記述がない限り、いかなる態様のすべてまたは一部分もいかなる他の態様のすべてまたは一部分と共に利用可能である。さらに、ここでは特定の用語が使われるが、別途特定されない限り、それらは厳しい限定のためではなく、一般的かつ記述的意味でのみ用いられる。したがって、本発明が開示された特定の態様に限定されるべきではないこと、並びに修正および他の態様が添付の請求項の範囲の中に含まれることが意図されることが理解されるべきである。
【図１】
2014212522.tif 000003
【図２】
2014212522.tif 000004
【図３】
2014212522.tif 000005
【図４】
2014212522.tif 000006
【図５】
2014212522.tif 000007
【図６】
2014212522.tif 000008
【図７】
2014212522.tif 000009
【図８】
2014212522.tif 000010
【図９】
2014212522.tif 000011
【図１０】
2014212522.tif 000012
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
少なくとも１つの広範囲な個人化されたコンテンツ嗜好記述子および少なくとも１つのコンテンツ固有の個人化されたコンテンツ嗜好記述子を無線機器上で得ることと、ここにおいて、
前記少なくとも１つの広範囲な個人化されたコンテンツ嗜好記述子および前記少なくとも１つのコンテンツ固有の個人化されたコンテンツ嗜好記述子は、他の無線機器ユーザの性格の特徴およびサイコグラフィック情報の少なくとも１つに基づいて生成され、
前記他の無線機器ユーザは、前記無線機器ユーザによって識別された友人、前記無線機器ユーザによって識別された家族、および前記無線機器ユーザによって識別された同僚から成るグループから選択され、
複数のコンテンツの各々について予め定められたコンテンツ記述子を前記無線機器上で得ることと、
前記複数のコンテンツのマルチキャスト送信を前記無線機器上で受信することと、
前記複数のコンテンツ中の各コンテンツについて、前記コンテンツに関連する少なくとも１つのコンテンツ固有の個人化されたコンテンツ嗜好記述子を前記無線機器上で識別することと、
前記マルチキャスト送信からの前記少なくとも１つのコンテンツに関連する予め定められたコンテンツ記述子の少なくとも一部分と、前記マルチキャスト送信からの前記少なくとも１つのコンテンツに関連する前記少なくとも１つの広範囲な個人化されたコンテンツ嗜好記述子および少なくとも１つのコンテンツ固有の個人化されたコンテンツ嗜好記述子の両方との間の整合に基づいて、前記複数のコンテンツの前記マルチキャスト送信から少なくとも１つのコンテンツを前記無線機器上で自動的に選択することと、
選択されたコンテンツを前記無線機器上で処理することと、 
を備え、
広範囲な個人化されたコンテンツ嗜好記述子は、全てのコンテンツを通じて適切な無線機器ユーザの嗜好を示し、
コンテンツ固有の個人化されたコンテンツ嗜好記述子は、１つの特定のコンテンツにのみ適切な前記無線機器ユーザの嗜好を前記１つの特定のコンテンツの形式に基づいて示す、 
コンテンツを受信する方法。
【請求項２】
前記少なくとも１つの広範囲な個人化されたコンテンツ嗜好記述子および少なくとも１つのコンテンツ固有の個人化されたコンテンツ嗜好記述子を得ることは、コンテンツ供給者によって定義される複数の予め定められたコンテンツ記述子から前記少なくとも１つの広範囲な個人化されたコンテンツ嗜好記述子および前記少なくとも１つのコンテンツ固有の個人化されたコンテンツ嗜好記述子を選択することを備える、請求項１に記載の方法。
【請求項３】
前記少なくとも１つの広範囲な個人化されたコンテンツ嗜好記述子および少なくとも１つのコンテンツ固有の個人化されたコンテンツ嗜好記述子を得ることは、コンテンツ供給者に関連する複数のサービスの１つがそれぞれに対応する複数の予め定められたコンテンツ記述子から前記少なくとも１つの広範囲な個人化されたコンテンツ嗜好記述子および前記少なくとも１つのコンテンツ固有の個人化されたコンテンツ嗜好記述子を選択することを備え、前記複数のサービスの少なくとも２つは異なる複数の予め定められたコンテンツ記述子に関連する、請求項１に記載の方法。
【請求項４】
前記少なくとも１つの広範囲な個人化されたコンテンツ嗜好記述子および少なくとも１つのコンテンツ固有の個人化されたコンテンツ嗜好記述子を得ることは、予め定められたユーザのサイコグラフィックに関連する情報および予め定められた地理的領域内の予め定められたユーザに関連する情報の少なくとも１つに基づいて、前記少なくとも１つの広範囲な個人化されたコンテンツ嗜好記述子および前記少なくとも１つのコンテンツ固有の個人化されたコンテンツ嗜好記述子を生成することを備える、請求項１に記載の方法。
【請求項５】
前記少なくとも１つの広範囲な個人化されたコンテンツ嗜好記述子および少なくとも１つのコンテンツ固有の個人化されたコンテンツ嗜好記述子を得ることは、アルゴリズム、意思決定ルーチン、ファジィ論理、発見的方法、およびニューラルネットワークの少なくとも予め定められた１つを実行することによって、前記少なくとも１つの広範囲な個人化されたコンテンツ嗜好記述子および少なくとも１つのコンテンツ固有の個人化されたコンテンツ嗜好記述子を得ることを備える、請求項４に記載の方法。
【請求項６】
前記少なくとも１つの広範囲な個人化されたコンテンツ嗜好記述子および少なくとも１つのコンテンツ固有の個人化されたコンテンツ嗜好記述子を得ることは、現地時間、前記無線機器に関連する無線ネットワーク事業者、および機器の特性の少なくとも１つに基づいて前記少なくとも１つの広範囲な個人化されたコンテンツ嗜好記述子および前記少なくとも１つのコンテンツ固有の個人化されたコンテンツ嗜好記述子を生成することを備える、請求項１に記載の方法。
【請求項７】
前記少なくとも１つの広範囲な個人化されたコンテンツ嗜好記述子および少なくとも１つのコンテンツ固有の個人化されたコンテンツ嗜好記述子を生成することは、予め定められたアルゴリズム、予め定められた意思決定ルーチン、予め定められたフィジィ論理、予め定められた発見的方法、および予め定められたニューラルネットワークの少なくとも１つを実行することによって、前記少なくとも１つの広範囲な個人化されたコンテンツ嗜好記述子および少なくとも１つのコンテンツ固有の個人化されたコンテンツ嗜好記述子を得ることを備える、請求項６に記載の方法。
【請求項８】
前記選択されたコンテンツを処理することは、前記無線機器に前記選択されたコンテンツを格納することを備える、請求項１に記載の方法。
【請求項９】
前記複数のコンテンツの前記マルチキャスト送信から少なくとも１つのコンテンツを選択することは、前記予め定められたコンテンツ記述子の少なくとも前記一部分が予め定められた整合しきい値を満たすかどうかを決定することをさらに備える、請求項１に記載の方法。
【請求項１０】
前記選択されたコンテンツを処理することは、前記無線機器に前記選択されたコンテンツを提示することを備える、請求項１に記載の方法。
【請求項１１】
メモリと、
前記メモリに接続されたプロセッサと、 
を備え、前記プロセッサは、請求項１、２、３、４、５、６、８、９、または１０の前記方法を実行するためのプロセッサ実行可能命令で構成される、
無線機器。
【請求項１２】
請求項１、２、３、４、５、６、８、９、または１０の前記方法を無線機器のプロセッサに実行させるためのプロセッサ実行可能命令で構成された、非トランジトリなプロセッサ可読媒体。
【請求項１３】
少なくとも１つの広範囲な個人化されたコンテンツ嗜好記述子および少なくとも１つのコンテンツ固有の個人化されたコンテンツ嗜好記述子を無線機器上で得ることと、
複数のコンテンツの各々について予め定められたコンテンツ記述子を前記無線機器上で得ることと、
前記複数のコンテンツのマルチキャスト送信を前記無線機器上で受信することと、
前記複数のコンテンツ中の各コンテンツについて、前記コンテンツに関連する少なくとも１つのコンテンツ固有の個人化されたコンテンツ嗜好記述子を前記無線機器上で識別することと、
前記マルチキャスト送信からの前記少なくとも１つのコンテンツに関連する予め定められたコンテンツ記述子の少なくとも一部分と、前記マルチキャスト送信からの前記少なくとも１つのコンテンツに関連する前記少なくとも１つの広範囲な個人化されたコンテンツ嗜好記述子および少なくとも１つのコンテンツ固有の個人化されたコンテンツ嗜好記述子の両方との間の整合に基づいて、前記複数のコンテンツの前記マルチキャスト送信から少なくとも１つのコンテンツを前記無線機器上で自動的に選択することと、
選択されたコンテンツを前記無線機器上で処理することと、 
を備え、
広範囲な個人化されたコンテンツ嗜好記述子は、全てのコンテンツを通じて適切な無線機器ユーザの嗜好を示し、
コンテンツ固有の個人化されたコンテンツ嗜好記述子は、１つの特定のコンテンツにのみ適切な前記無線機器ユーザの嗜好を前記１つの特定のコンテンツの形式に基づいて示す、 
コンテンツを受信する方法。
【手続補正２】
【補正対象書類名】明細書
【補正対象項目名】００８２
【補正方法】変更
【補正の内容】
【００８２】
上記開示は例示的態様を含むが、添付された請求項で定義されるような、説明したこれらの態様の範囲を逸脱することなく種々の変更と修正がなされうることに注意すべきである。例えば、マルチキャスト手段に関して説明したが、説明した態様の１つ以上は他の形式の放送システムに適用されるかもしれない。さらに、例えば、説明した態様の要素は相互に一定の関連または関係を有しているように説明するかもしれないが、説明した要素および／またはその機能が任意の方法で分散されるかもしれないことが理解されるべきである。さらに、説明した態様の要素は単数で説明されまたは請求されるかもしれないが、単数に限定することが明示的に述べられていない場合、複数が想定される。付加的に、別途記述がない限り、いかなる態様のすべてまたは一部分もいかなる他の態様のすべてまたは一部分と共に利用可能である。さらに、ここでは特定の用語が使われるが、別途特定されない限り、それらは厳しい限定のためではなく、一般的かつ記述的意味でのみ用いられる。したがって、本発明が開示された特定の態様に限定されるべきではないこと、並びに修正および他の態様が添付の請求項の範囲の中に含まれることが意図されることが理解されるべきである。
以下に、本願出願の当初の特許請求の範囲に記載された発明を付記する。
［Ｃ１］
無線機器上のユーザ特性情報に基づく個人化されたコンテンツ嗜好記述子を無線機器上で得ることと、
複数のコンテンツの１つに対応する予め定められたコンテンツ記述子を無線機器上で得ることと、
コンテンツ供給者に関連する複数のコンテンツのマルチキャスト送信を無線機器上で得ることと、
複数のコンテンツから１つを、それぞれの予め定められたコンテンツ記述子の少なくとも一部分と個人化されたコンテンツ嗜好記述子との間の整合に基づいて、無線機器において、選択することと、
選択されたコンテンツを無線機器上で処理することとを含むコンテンツを受信する方法。
［Ｃ２］
個人化されたコンテンツ嗜好記述子を得ることが、コンテンツ供給者によって定義された複数の予め定められたコンテンツ記述子から個人化されたコンテンツ嗜好記述子を選択することをさらに含む、Ｃ１に記載の方法。
［Ｃ３］
個人化されたコンテンツ嗜好記述子を得ることが、コンテンツ供給者に関連する複数のサービスのそれぞれの１つに対応する複数の予め定められたコンテンツ記述子から個人化されたコンテンツ嗜好記述子を選択することをさらに含み、複数のサービスの少なくとも２つは異なる複数の予め定められたコンテンツ記述子に関連している、Ｃ１に記載の方法。
［Ｃ４］
個人化されたコンテンツ嗜好記述子を得ることが、個人化されたコンテンツ嗜好記述子を、サイコグラフィック情報、ユーザの予め定められた社会的ネットワークに関連する情報、および予め定められた地理的領域内の予め定められたユーザに関連する情報の少なくとも１つに基づいて生成することをさらに含む、Ｃ１に記載の方法。
［Ｃ５］
個人化されたコンテンツ嗜好記述子を生成することが、アルゴリズム、意志決定ルーチン、ファジィ論理、発見的方法、およびニューラルネットワークの少なくとも予め定められた１つを実行することをさらに含む、Ｃ４に記載の方法。
［Ｃ６］
個人化されたコンテンツ嗜好記述子を得ることが、個人化されたコンテンツ嗜好記述子を、現地時間、それぞれの無線機器に関連する無線ネットワーク事業者および機器の特性の少なくとも１つに基づいて生成することをさらに含む、Ｃ１に記載の方法。
［Ｃ７］
個人化されたコンテンツ嗜好記述子を生成することが、予め定められたアルゴリズム、予め定められた意志決定ルーチン、予め定められたファジィ論理、予め定められた発見的方法、および予め定められたニューラルネットワークの少なくとも１つを実行することをさらに含む、Ｃ６に記載の方法。
［Ｃ８］
個人化されたコンテンツ嗜好記述子を得ることが、サービス固有の個人化されたコンテンツ嗜好記述子を得ることをさらに含み、かつ選択することが、前記サービス固有の個人化されたコンテンツ嗜好記述子に基づく、および得られたマルチキャスト送信に関連するそれぞれのサービスにさらに基づく選択をさらに含む、Ｃ１に記載の方法。
［Ｃ９］
マルチキャスト送信を得ることが、複数のフローの予め定められた１つの内の複数のコンテンツを受信することをさらに含み、かつ選択されたコンテンツを処理することが、選択されたコンテンツを保存することをさらに含む、Ｃ１に記載の方法。
［Ｃ１０］
選択することが、それぞれの予め定められたコンテンツ記述子の少なくとも部分が予め定められた整合しきい値に達したかどうかを決定することをさらに含む、Ｃ１の方法。
［Ｃ１１］
選択されたコンテンツを処理することが、選択されたコンテンツを提示することをさらに含むＣ１に記載の方法。
［Ｃ１２］
無線機器上のユーザ特性情報に基づく個人化されたコンテンツ嗜好記述子を無線機器上で得るためのコードの第１のセットと、
複数のコンテンツの１つに対応する予め定められたコンテンツ記述子を無線機器上で得るためのコードの第２のセットと、
コンテンツ供給者に関連する複数のコンテンツのマルチキャスト送信を無線機器上で得るための第３のセットと、
複数のコンテンツから１つを、それぞれの予め定められたコンテンツ記述子の少なくとも一部分と個人化されたコンテンツ嗜好記述子との間の整合に基づいて、無線機器において、選択するためのコードの第４のセットと、
選択されたコンテンツを無線機器上で処理するためのコードの第５のセットとを含むコンピュータ可読媒体を含むコンピュータソフトウェア製品。
［Ｃ１３］
無線機器上のユーザ特性情報に基づく個人化されたコンテンツ嗜好記述子を無線機器上で得ることと、
複数のコンテンツの１つに対応する予め定められたコンテンツ記述子を無線機器上で得ることと、
コンテンツ供給者に関連する複数のコンテンツのマルチキャスト送信を無線機器上で得ることと、
複数のコンテンツから１つを、それぞれの予め定められたコンテンツ記述子の少なくとも一部分と個人化されたコンテンツ嗜好記述子との間の整合に基づいて、無線機器において、選択することと、
選択されたコンテンツを無線機器上で処理することとの動作を実行するように構成された少なくとも１つのプロセッサ。
［Ｃ１４］
無線機器上のユーザ特性情報に基づく個人化されたコンテンツ嗜好記述子を得るための手段と、
複数のコンテンツの１つに対応する予め定められたコンテンツ記述子を得るための手段と、
コンテンツ供給者に関連する複数のコンテンツのマルチキャスト送信を得るための手段と、
複数のコンテンツから１つを、それぞれの予め定められたコンテンツ記述子の少なくとも一部分と個人化されたコンテンツ嗜好記述子との間の整合に基づいて、選択するための手段と、
選択されたコンテンツを処理するための手段とを含む無線機器。
［Ｃ１５］
個人化されたコンテンツ嗜好記述子、予め定められたコンテンツ記述子およびコンテンツ選択エンジンを含むメモリーであって、個人化されたコンテンツ嗜好記述子が、無線機器上のユーザ特性情報に基づいており、予め定められたコンテンツ記述子が、複数のコンテンツの１つに対応しており、コンテンツ選択エンジンが、複数のコンテンツから少なくとも１つを、それぞれの予め定められたコンテンツ記述子の少なくとも一部分と個人化されたコンテンツ嗜好記述子との間の整合に基づいて選択するように動作可能であるメモリーと、
コンテンツ供給者に関連する複数のコンテンツのマルチキャスト送信を得るように動作可能な通信モジュールと、
メモリーおよび通信モジュールと交信しているプロセッサとを含み、プロセッサが、複数のコンテンツから１つを選択するためにコンテンツ選択エンジンを実行するように動作可能であり、プロセッサが、選択されたコンテンツをさらに処理するように動作可能である、無線機器。
［Ｃ１６］
個人化されたコンテンツ嗜好記述子が、コンテンツ供給者によって定義された複数の予め定められたコンテンツ記述子から選択される、Ｃ１５に記載の無線機器。
［Ｃ１７］
個人化されたコンテンツ嗜好記述子が、コンテンツ供給者に関連する複数のサービスの１つがそれぞれに対応する複数の予め定められたコンテンツ記述子から選択され、複数のサービスの少なくとも２つが、異なる複数の予め定められたコンテンツ記述子に関連している、Ｃ１５に記載の無線機器。
［Ｃ１８］
メモリーが、個人化されたコンテンツ嗜好記述子を、サイコグラフィック情報、ユーザの予め定められた社会的ネットワークに関連する情報、および予め定められた地理的領域内の予め定められたユーザに関連する情報の少なくとも１つに基づいて生成するように動作可能な嗜好記述子生成器をさらに含む、Ｃ１５に記載の方法。
［Ｃ１９］
嗜好記述子生成器が、個人化されたコンテンツ嗜好記述子を決定するためにプロセッサによって実行可能なアルゴリズム、意志決定ルーチン、ファジィ論理、発見的方法、およびニューラルネットワークの少なくとも予め定められた１つをさらに含む、Ｃ１８に記載の無線機器。
［Ｃ２０］
メモリーが、個人化されたコンテンツ嗜好記述子を現地時間、それぞれの無線機器に関連する無線ネットワーク事業者および機器の特性の少なくとも１つに基づいて生成するように動作可能な嗜好記述子生成器をさらに含む、Ｃ１５に記載の方法。
［Ｃ２１］
嗜好記述子生成器が、個人化されたコンテンツ嗜好記述子を決定するためにプロセッサによって実行可能なアルゴリズム、意志決定ルーチン、ファジィ論理、発見的方法、およびニューラルネットワークの少なくとも予め定められた１つをさらに含む、Ｃ２０に記載の無線機器。
［Ｃ２２］
個人化されたコンテンツ嗜好記述子が、マルチキャスト送信に関連するそれぞれのサービスに基づいて異なる、Ｃ１５に記載の無線機器。
［Ｃ２３］
コンテンツ選択エンジンが、それぞれの予め定められたコンテンツ記述子の少なくとも前記部分が予め定められた整合しきい値に達したかどうかを決定するようにさらに動作可能な、Ｃ１５に記載の無線機器。
［Ｃ２４］
通信モジュールが、複数のフローの予め定められた１つ内の複数のコンテンツを受信するようにさらに動作可能であり、プロセッサが、選択されたコンテンツをメモリーに保存するようにさらに動作可能であるＣ１５に記載の無線機器。
［Ｃ２５］
出力手段をさらに含み、プロセッサが前記出力手段を介して選択されたコンテンツを提示するようにさらに動作可能である、Ｃ１５に記載の無線機器。
［Ｃ２６］
配信システム上で、コンテンツ供給者によって定義された複数の予め定められたコンテンツ記述子を得ることと、
配信システムにおいて、複数のコンテンツを得ることと、
配信システムにおいて、複数の予め定められたコンテンツ記述子の少なくとも１つと複数のコンテンツの１つとの間の関連を得ることと、
配信システムから、複数のコンテンツおよび前記関連を複数の機器へマルチキャストすることとを含み、前記関連が、機器の１つで、関連する予め定められたコンテンツ記述子とそれぞれの機器に格納された個人化されたコンテンツ嗜好記述子との間の整合に基づいて、複数のコンテンツの１つの選択的処理を引き起こすように動作する、コンテンツ配信方法。
［Ｃ２７］
配信システム上で、コンテンツ供給者によって定義された複数の予め定められたコンテンツ記述子を得るためのコードの第１のセットと、
配信システムにおいて、複数のコンテンツを得るためのコードの第２のセットと、
配信システムにおいて、複数の予め定められたコンテンツ記述子の少なくとも１つと複数のコンテンツの１つとの間の関連を得るためのコードの第３のセットと、
配信システムから、複数のコンテンツおよび前記関連を複数の機器へマルチキャストするためのコードの第４のセットとを含み、前記関連は、機器の１つで、関連する予め定められたコンテンツ記述子とそれぞれの機器に格納された個人化されたコンテンツ嗜好記述子との間の整合に基づいて、複数のコンテンツの１つの選択的処理を引き起こすように動作する、コンピュータ可読媒体を含む、コンピュータソフトウェア製品。
［Ｃ２８］
配信システム上で、コンテンツ供給者によって定義された複数の予め定められたコンテンツ記述子を得ることと、
配信システムにおいて、複数のコンテンツを得ることと、
配信システムにおいて、複数の予め定められたコンテンツ記述子の少なくとも１つと複数のコンテンツの１つとの間の関連を得ることと、
配信システムから、複数のコンテンツおよび前記関連を複数の機器へマルチキャストすることであって、前記関連が、機器の１つで、関連する予め定められたコンテンツ記述子とそれぞれの機器に格納された個人化されたコンテンツ嗜好記述子との間の整合に基づいて、複数のコンテンツの１つの選択的処理を引き起こすように動作するマルチキャストすること、との行動を実行するように構成された少なくとも１つのプロセッサ。
［Ｃ２９］
複数のコンテンツ、複数の予め定められたコンテンツ記述子、および複数のコンテンツの少なくとも１つと複数の予め定められたコンテンツ記述子の少なくとも１つとの間の関連を含むメモリーであって、複数の予め定められたコンテンツ記述子がコンテンツ供給者によって定義されるメモリーと、
複数のコンテンツおよび前記関連を複数の機器に送信するように動作可能なマルチキャスト手段と、
複数のコンテンツおよび前記関連の送信を開始するために前記マルチキャスト手段を実行するように動作可能なプロセッサとを含み、前記関連は、機器の１つで、関連する予め定められたコンテンツ記述子とそれぞれの機器に格納された個人化されたコンテンツ嗜好記述子との間の整合に基づいて、複数のコンテンツの少なくとも１つの選択的処理を引き起こすように動作する、コンテンツを配信するための装置。
【外国語明細書】
2014212522000001.pdf